(57)【要約】無線送受信ユニット（ＷＴＲＵ）のためのマルチ無線アクセステクノロジー（マルチＲＡＴ）アクセスモード動作のための方法および装置が開示される。ＷＴＲＵおよびネットワークは、ＷＴＲＵサブスクリプション、ＷＴＲＵのサービス契約、ＷＴＲＵのローミング状態、選択されたアクセスポイントネーム（ＡＰＮ）、インターネットプロトコル（ＩＰ）フロークラス、ＷＴＲＵのための加入者プロファイルアイデンティティ、要求されるサービス品質、またはマルチＲＡＴアクセスモードをサポートするセルの近傍にいることを示す近傍表示のうちの少なくとも１つに基づいて動作のマルチＲＡＴアクセスモードをイネーブルすることができる。ＷＴＲＵは、ネットワークへのマルチＲＡＴアクセスのサポートの能力表示を送信することができ、この能力表示に基づいてマルチＲＡＴアクセスモードがイネーブルされる。ベアラの部分的ハンドオーバが実行されてもよい。ハンドオーバを実行する際には、ターゲットセルは優先度ルールに基づいて決定される。
2014521267.tif 000002
【特許請求の範囲】
【請求項１】
無線送受信ユニット（ＷＴＲＵ）に対するマルチ無線アクセステクノロジー（マルチＲＡＴ）アクセスモード動作のための方法であって、前記方法は、
動作のマルチＲＡＴアクセスモードをイネーブルするステップと、
少なくとも２つの異なるＲＡＴにおいて同時にベアラを確立するステップと
を備え、前記マルチＲＡＴアクセスモードは、ＷＴＲＵサブスクリプション、前記ＷＴＲＵのサービス契約、前記ＷＴＲＵのローミング状態、選択されたアクセスポイントネーム（ＡＰＮ）、インターネットプロトコル（ＩＰ）フロークラス、前記ＷＴＲＵのための加入者プロファイルアイデンティティ、サービスの要求された品質、またはマルチＲＡＴアクセスモードをサポートするセルに近いことを示す近傍表示のうちの少なくとも１つに基づいてイネーブルされることを特徴とする方法。
【請求項２】
前記ＷＴＲＵがネットワークへのマルチＲＡＴアクセスのサポートの能力表示を送るステップをさらに備え、前記マルチＲＡＴアクセスモードは前記能力表示に基づいてイネーブルされることを特徴とする請求項１に記載の方法。
【請求項３】
前記近傍表示は、トラッキングエリア更新メッセージ、ルーティングエリア更新メッセージ、アタッチ要求メッセージ、またはＰＤＮ接続要求メッセージに含まれることを特徴とする請求項１に記載の方法。
【請求項４】
ローカルＩＰアクセス（ＬＩＰＡ）、選択的ＩＰトラフィックオフロード（ＳＩＰＴＯ）、またはマネージド・リモートアクセス（ＭＲＡ）をサポートするネットワークへのアクセスをイネーブルするステップ
をさらに備えたことを特徴とする請求項１に記載の方法。
【請求項５】
前記ネットワークから受信されたメッセージが、マルチＲＡＴアクセスをサポートするセルにトラフィックがオフロードされる必要があることを示すという条件で、ＬＩＰＡ、ＳＩＰＴＯ、またはＭＲＡをサポートする前記ネットワークへのアクセスは、イネーブルされることを特徴とする請求項４に記載の方法。
【請求項６】
ＬＩＰＡ、ＳＩＰＴＯ、またはＭＲＡは、前記加入者プロファイルアイデンティティに基づいてイネーブルされることを特徴とする請求項４に記載の方法。
【請求項７】
前記マルチＲＡＴアクセスモードをサポートするハンドオーバに対するターゲットセルを選択するステップと、
前記ターゲットセルへの少なくとも１つのベアラのハンドオーバを実行するステップと
をさらに備えたことを特徴とする請求項１に記載の方法。
【請求項８】
現在のサービングセルのベアラの一部は、前記ターゲットセルにハンドオーバされることを特徴とする請求項７に記載の方法。
【請求項９】
前記ターゲットセルは優先度ルールに基づいて決定されることを特徴とする請求項７に記載の方法。
【請求項１０】
前記優先度ルールは、オペレータポリシ設定に基づいて、またはネットワークノード間のシグナリングもしくはネットワークと前記ＷＴＲＵとの間のシグナリングに基づいて、または前記加入者プロファイルアイデンティティに基づいて設定されることを特徴とする請求項９に記載の方法。
【請求項１１】
無線送受信ユニット（ＷＴＲＵ）に対するマルチ無線アクセステクノロジー（マルチＲＡＴ）アクセスモード動作のための装置であって、前記装置は、
動作のマルチＲＡＴアクセスモードをイネーブルし、および少なくとも２つの異なるＲＡＴにおいてベアラを確立するように構成されたプロセッサを備え、前記マルチＲＡＴアクセスモードは、ＷＴＲＵサブスクリプション、サービス契約、ローミング状態、選択されたアクセスポイントネーム（ＡＰＮ）、インターネットプロトコル（ＩＰ）フロークラス、加入者プロファイルアイデンティティ、サービスの要求された品質、または近傍表示のうちの少なくとも１つに基づいてイネーブルされることを特徴とする装置。
【請求項１２】
前記プロセッサは、ネットワークへのマルチＲＡＴアクセスのサポートの能力表示を送るように構成され、および前記マルチＲＡＴアクセスモードは、前記能力表示に基づいてイネーブルされることを特徴とする請求項１１に記載の装置。
【請求項１３】
前記近傍表示は、トラッキングエリア更新メッセージ、ルーティングエリア更新メッセージ、アタッチ要求メッセージ、またはＰＤＮ接続要求メッセージに含まれることを特徴とする請求項１１に記載の装置。
【請求項１４】
前記プロセッサは、ローカルＩＰアクセス（ＬＩＰＡ）、選択的ＩＰトラフィックオフロード（ＳＩＰＴＯ）、またはマネージド・リモートアクセス（ＭＲＡ）をサポートするネットワークへのアクセスをイネーブルするように構成されることを特徴とする請求項１１に記載の装置。
【請求項１５】
前記ネットワークから受信されたメッセージが、マルチＲＡＴアクセスをサポートするセルにトラフィックがオフロードされる必要があることを示すという条件で、ＬＩＰＡ、ＳＩＰＴＯ、またはＭＲＡをサポートする前記ネットワークへのアクセスは、イネーブルされることを特徴とする請求項１４に記載の装置。
【請求項１６】
ＬＩＰＡ、ＳＩＰＴＯ、またはＭＲＡは、前記加入者プロファイルアイデンティティに基づいてイネーブルされることを特徴とする請求項１４に記載の装置。
【請求項１７】
前記プロセッサは、前記マルチＲＡＴアクセスモードをサポートするハンドオーバに対するターゲットセルを選択し、および少なくとも１つのベアラの前記ターゲットセルへのハンドオーバを実行するように構成されることを特徴とする請求項１１に記載の装置。
【請求項１８】
現在のサービングセルのベアラの一部は、前記ターゲットセルにハンドオーバされることを特徴とする請求項１７に記載の装置。
【請求項１９】
前記ターゲットセルは優先度ルールに基づいて決定されることを特徴とする請求項１７に記載の装置。
【請求項２０】
前記優先度ルールは、オペレータポリシ設定に基づいて、またはネットワークノード間のシグナリングもしくはネットワークと前記ＷＴＲＵとの間のシグナリングに基づいて、または前記加入者プロファイルアイデンティティに基づいて設定されることを特徴とする請求項１９に記載の装置。
【発明の詳細な説明】
【技術分野】
【０００１】
本発明は、マルチＲＡＴアクセスモード動作のための方法および装置に関する。
【背景技術】
【０００２】
関連出願の相互参照
【０００３】
本出願は、参照によりその内容が本明細書に組み込まれている、２０１１年７月１２日に出願した米国仮出願第６１／５０６，６９１号明細書の利益を主張するものである。
【０００４】
無線システムにおける音声サービスとデータサービスの両方のための改善されたネットワークカバレッジ、改善された機能および増大する帯域幅に対する需要は、それに限定されないが、グローバル移動体通信システム（ＧＳＭ（登録商標））、広帯域符号分割多元接続（ＷＣＤＭＡ（登録商標））、高速ダウンリンクパケットアクセス（ＨＳＤＰＡ）と高速アップリンクパケットアクセス（ＨＳＵＰＡ）とを含む高速パケットアクセス（ＨＳＰＡ）、および第３世代パートナーシッププロジェクト（３ＧＰＰ）におけるロングタームエボリューション（ＬＴＥ）リリース１０以降におけるキャリアアグリゲーションのためのサポートを含むＬＴＥ、ＩＥＥＥ８０２．１１ｂ／ａ／ｇ／ｎ、８０２．１６ａ／ｅおよび８０２．２０、ならびに３ＧＰＰ２におけるＣＤＭＡ２０００  ｌｘおよびＣＤＭＡ２０００  ＥＶ−ＤＯを含めて、多くの無線アクセステクノロジー（ＲＡＴ）の発展につながっている。
【０００５】
３ＧＰＰ  ＷＣＤＭＡリリース８は、２つのＨＳＤＰＡダウンリンクコンポーネントキャリア（２Ｃ−ＨＳＤＰＡ）の同時使用のためのサポートを導入し、周波数ダイバーシチおよびリソースプーリングによって帯域幅使用を改善した。３ＧＰＰリリース９は、マルチキャリアダウンリンクＷＣＤＭＡに多入力多出力（ＭＩＭＯ）のためのサポートを導入した。リリース９はまた、２つのＨＳＵＰＡアップリンクコンポーネントキャリアのためのサポートを導入した。３ＧＰＰリリース１０は、４つまでのダウンリンクコンポーネントキャリア（４Ｃ−ＨＳＤＰＡ）のためのサポートを導入し、リリース１１は、８個までのダウンリンクキャリア（８Ｃ−ＨＳＤＰＡ）のためのサポートを導入した。
【０００６】
３ＧＰＰ  ＬＴＥリリース１０は、ネットワークノード（すなわち、進化型ノードＢ（ｅＮＢ））とモバイル端末（すなわち、同じ送信時間間隔内の無線送受信ユニット（ＷＴＲＵ））との間に複数のコンポーネントキャリアの無線リソースを使用する同時送信および／または受信のためのサポートを導入した。
【０００７】
ＬＴＥの目的の１つは、オペレータがＷＣＤＭＡデプロイメントのためのものと同じサイトを使用してＬＴＥをデプロイすることができるようにし、それによって、デプロイメントおよび無線計画のコストを低減することである。ＬＴＥをデータ拡張オーバレイとして用いて、同じカバレッジエリアにおいてＷＣＤＭＡ／ＨＳＰＡとＬＴＥの両方をデプロイするオペレータもいる。ＬＴＥデプロイメントは、既存のＷＣＤＭＡ／ＨＳＰＡデプロイメントと同様のカバレッジを有し得る。例えば、ＷＣＤＭＡ／ＨＳＰＡとＬＴＥの両方をサポートするマルチモード無線送受信ユニット（ＷＴＲＵ）が広く使用されよう。
【０００８】
ＭＩＭＯを用いるリリース１０ＨＳＰＡは、４２Ｍｂｐｓのダウンリンクピークデータレートを提供するが、一方、リリース１０マルチキャリアＨＳＰＡは、４つまでのダウンリンクキャリアのためのサポートを導入することによりピークレートをさらに高める。ＬＴＥリリース８／９は、シングルキャリアダウンリンクにおいて１００Ｍｂｐｓまで提供し、一方、（イントラＲＡＴ）キャリアアグリゲーションを用いるＬＴＥリリース１０は、５つまでのコンポーネントキャリアの送信リソースを結合することによりピークレートをさらに高める。スペクトルは高価なリソースであり、すべての周波数帯がすべてのオペレータにとって利用可能であるとは限らない可能性がある。オペレータは、ＨＳＰＡサービスとＬＴＥサービスの両方のためのサポートを提供することができるが、キャリアアグリゲーションは、所与のオペレータごとにＲＡＴ当たり多くて２個〜３個のコンポーネントキャリアに限定される可能性がある。さらに、ＬＴＥがデプロイされる一方で、当面の間はレガシーデプロイメントが維持されることがある。これは、オペレータが、それらのＲＡＴのうちの１つにおける無線リソース／スペクトルおよび機能が十分に利用されていない期間を見ることがある状況につながる可能性がある。
【発明の概要】
【０００９】
無線送受信ユニット（ＷＴＲＵ）のためのマルチ無線アクセステクノロジー（マルチＲＡＴ）アクセスモード動作のための方法および装置が開示される。ＷＴＲＵおよびネットワークは、ＷＴＲＵサブスクリプション、ＷＴＲＵのサービス契約、ＷＴＲＵのローミング状態、選択されたアクセスポイントネーム（ＡＰＮ）、インターネットプロトコル（ＩＰ）フロークラス、ＷＴＲＵのための加入者プロファイルアイデンティティ、要求されるサービス品質、またはマルチＲＡＴアクセスモードをサポートするセルの近傍にいることを示す近傍表示（ｐｒｏｘｉｍｉｔｙ  ｉｎｄｉｃａｔｉｏｎ）のうちの少なくとも１つに基づいて動作のマルチＲＡＴアクセスモードをイネーブルすることができる。前記ＷＴＲＵは、ネットワークへのマルチＲＡＴアクセスのサポートの能力表示を送信することができ、前記マルチＲＡＴアクセスモードは前記能力表示に基づいてイネーブルされる。ベアラの部分的ハンドオーバが実行されてもよい。前記ハンドオーバを実行する際には、前記ターゲットセルは優先度ルールに基づいて決定される。前記近傍表示は、トラッキングエリア更新メッセージ、ルーティングエリア更新メッセージ、アタッチ要求（ａｔｔａｃｈ  ｒｅｑｕｅｓｔ）メッセージ、またはＰＤＮ接続要求（ｃｏｎｎｅｃｔｉｖｉｔｙ  ｒｅｑｕｅｓｔ）メッセージに含まれてよい。
【００１０】
前記ＷＴＲＵは、前記ネットワークから受信されたメッセージが、マルチＲＡＴアクセスをサポートするセルにトラフィックをオフロードする必要があることを示すという条件で、ローカルＩＰアクセス（ＬＩＰＡ）、選択的トラフィックオフロード（ＳＩＰＴＯ）、またはマネージド・リモートアクセス（ＭＲＡ）をサポートするネットワークへのアクセスをイネーブルすることができる。
【図面の簡単な説明】
【００１１】
より詳細な理解は、添付の図面に関連して例として与えられる以下の説明から得られよう。
【図１Ａ】１または複数の開示された実施形態が実行され得る例示的通信システムのシステム図である。
【図１Ｂ】図１Ａにおいて例示されている通信システム内で使用され得る例示的無線送受信ユニット（ＷＴＲＵ）のシステム図である。
【図１Ｃ】図１Ａにおいて例示されている通信システム内で使用され得る例示的ＵＭＴＳ無線アクセスネットワークおよび例示的ＵＭＴＳコアネットワークのシステム図である。
【図１Ｄ】図１Ａにおいて例示されている通信システム内で使用され得る例示的ＬＴＥ  ＲＡＮおよび例示的ＬＴＥコアネットワークのシステム図である。
【図２】１つのＰＤＮ接続からのデータトラフィックが複数のＲＡＴにマッピングされる例示的ネットワークアーキテクチャを示す図である。
【図３Ａ】マルチＲＡＴアクセス動作のための代替ネットワークアーキテクチャを示す図である。
【図３Ｂ】マルチＲＡＴアクセス動作のための代替ネットワークアーキテクチャを示す図である。
【図４Ａ】マルチＲＡＴアクセス動作のための代替ネットワークアーキテクチャを示す図である。
【図４Ｂ】マルチＲＡＴアクセス動作のための代替ネットワークアーキテクチャを示す図である。
【図５Ａ】マルチＲＡＴアクセス動作のための代替ネットワークアーキテクチャを示す図である。
【図５Ｂ】マルチＲＡＴアクセス動作のための代替ネットワークアーキテクチャを示す図である。
【図６Ａ】マルチＲＡＴアクセス動作のための代替ネットワークアーキテクチャを示す図である。
【図６Ｂ】マルチＲＡＴアクセス動作のための代替ネットワークアーキテクチャを示す図である。
【図６Ｃ】マルチＲＡＴアクセス動作のための代替ネットワークアーキテクチャを示す図である。
【発明を実施するための形態】
【００１２】
図１Ａは、１または複数の開示された実施形態が実施され得る例示的通信システム１００の図である。通信システム１００は、音声、データ、ビデオ、メッセージング、ブロードキャストなどのコンテンツを複数の無線ユーザに提供するマルチアクセスシステムでよい。通信システム１００は、複数の無線ユーザが、無線帯域幅を含むシステムリソースの共有によってそのようなコンテンツにアクセスすることができるようにすることが可能である。例えば、通信システム１００は、符号分割多元接続（ＣＤＭＡ）、時間分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）および同種のものなどの１または複数のチャネルアクセス方法を利用することができる。
【００１３】
図１Ａに示されているように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでよいが、開示された実施形態は、任意の数のＷＴＲＵ、基地局、ネットワーク、および／またはネットワーク要素を企図することが理解されるであろう。ＷＴＲＵ１０２ａ、１０２ｂ、１０２ｃ、１０２ｄのそれぞれは、無線環境において動作および／または通信するように構成された任意のタイプのデバイスでよい。例として、ＷＴＲＵ１０２ａ、１０２ｂ、１０２ｃ、１０２ｄは、無線信号を送信および／または受信するように構成されてよく、ユーザ機器（ＵＥ）、モバイル基地局、固定またはモバイル加入者ユニット、ページャ、セルラ電話、携帯情報端末（ＰＤＡ）、スマートフォン、ラップトップコンピュータ、ノートブックコンピュータ、パーソナルコンピュータ、無線センサ、コンシューマ電子機器および同種のものを含んでよい。
【００１４】
通信システム１００はまた、基地局１１４ａおよび基地局１１４ｂを含んでもよい。基地局１１４ａ、１１４ｂのそれぞれは、コアネットワーク１０６、インターネット１１０、および／またはネットワーク１１２などの１または複数の通信ネットワークへのアクセスを容易にするために、ＷＴＲＵ１０２ａ、１０２ｂ、１０２ｃ、１０２ｄの少なくとも１つと無線でインターフェース接続するように構成された任意のタイプのデバイスでよい。例として、基地局１１４ａ、１１４ｂは、トランシーバ基地局（ＢＴＳ）、ノードＢ、ｅノードＢ、ホームノードＢ、ホームｅノードＢ、サイトコントローラ、アクセスポイント（ＡＰ）、無線ルータおよび同種のものでよい。基地局１１４ａ、１１４ｂはそれぞれ、単一の要素として図示されているが、基地局１１４ａ、１１４ｂは、任意の数の相互接続された基地局および／またはネットワーク要素を含んでよいことが理解されるであろう。
【００１５】
基地局１１４ａは、基地局コントローラ（ＢＳＣ）、無線ネットワークコントローラ（ＲＮＣ）、中継ノードなどの他の基地局および／またはネットワーク要素（図示せず）をやはり含んでもよいＲＡＮ１０４の一部でよい。基地局１１４ａおよび／または基地局１１４ｂは、セル（図示せず）と呼ばれてよい特定の地理的領域の中で無線信号を送信および／または受信するように構成されてよい。セルはセルセクタにさらに分割されてもよい。例えば、基地局１１４ａに関連するセルは、３つのセクタに分割されてよい。したがって、一実施形態では、基地局１１４ａは、３つのトランシーバ、すなわち、セルのセクタごとに１つを含んでもよい。他の実施形態では、基地局１１４ａは、多入力多出力（ＭＩＭＯ）技術を利用することができ、したがって、基地局１１４ａは、セルのセクタごとに複数のトランシーバを利用することができる。
【００１６】
基地局１１４ａ、１１４ｂは、任意の適切な無線通信リンク（例えば、無線周波数（ＲＦ）、マイクロ波、赤外線（ＩＲ）、紫外線（ＵＶ）、可視光など）でよいエアインターフェース１１６を介して、ＷＴＲＵ１０２ａ、１０２ｂ、１０２ｃ、１０２ｄの１または複数と通信することができる。エアインターフェース１１６は、任意の適切な無線アクセステクノロジー（ＲＡＴ）を使用して設定され得る。
【００１７】
より詳細には、上記のように、通信システム１００は、マルチアクセスシステムでよく、ＣＤＭＡ、ＴＤＭＡ、ＦＤＭＡ、ＯＦＤＭＡ、ＳＣ−ＦＤＭＡおよび同種のものなどの１または複数のアクセス機構を使用することができる。例えば、ＲＡＮ１０４における基地局１１４ａおよびＷＴＲＵ１０２ａ、１０２ｂ、１０２ｃは、広帯域ＣＤＭＡ（ＷＣＤＭＡ）を使用してエアインターフェース１１６を設定することができるユニバーサル移動体電気通信システム（ＵＭＴＳ）地上無線アクセス（ＵＴＲＡ）などの無線技術を実施することができる。ＷＣＤＭＡは、高速パケットアクセス（ＨＳＰＡ）および／または進化ＨＳＰＡ（ＨＳＰＡ＋）などの通信プロトコルを含んでよい。ＨＳＰＡは、高速ダウンリンクパケットアクセス（ＨＳＤＰＡ）および／または高速アップリンクパケットアクセス（ＨＳＵＰＡ）を含んでよい。
【００１８】
他の実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１６を確立することができる進化ＵＭＴＳ地上無線アクセス（Ｅ−ＵＴＲＡ）などの無線技術を実施することができる。
【００１９】
他の実施形態では、基地局１１４ａおよびＷＴＲＵ１０２ａ、１０２ｂ、１０２ｃは、ＩＥＥＥ８０２．１６（すなわち、ワールドワイド・インターオペラビリティ・フォー・マイクロウェーブ・アクセス（ＷｉＭＡＸ））、ＣＤＭＡ２０００、ＣＤＭＡ２０００ＩＸ、ＣＤＭＡ２０００ＥＶ−ＤＯ、暫定規格２０００（ＩＳ−２０００）、暫定規格９５（ＩＳ−９５）、暫定規格８５６（ＩＳ−８５６）、グローバル移動体通信システム（ＧＳＭ）、ＧＳＭ進化型高速データレート（ＥＤＧＥ）、ＧＳＭ  ＥＤＧＥ（ＧＥＲＡＮ）および同種のものなどの無線技術を実施することができる。
【００２０】
図１Ａにおける基地局１１４ｂは、例えば、無線ルータ、ホームノードＢ、ホームｅノードＢ、またはアクセスポイントでよく、ビジネスの場、ホーム、車両、キャンパスおよび同種のものなどのローカライズされたエリアにおいて無線接続を容易にするために任意の適切なＲＡＴを利用することができる。一実施形態では、基地局１１４ｂおよびＷＴＲＵ１０２ｃ、１０２ｄは、無線ローカルエリアネットワーク（ＷＬＡＮ）を設定するためにＩＥＥＥ８０２．１１などの無線技術を実施することができる。他の実施形態では、基地局１１４ｂおよびＷＴＲＵ１０２ｃ、１０２ｄは、無線パーソナルエリアネットワーク（ＷＰＡＮ）設定するためにＩＥＥＥ８０２．１５などの無線技術を実施することができる。他の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用してピコセルまたはフェムトセルを設定することができる。図１Ａに示されているように、基地局１１４ｂは、インターネット１１０に直接接続することができる。したがって、基地局１１４ｂは、インターネット１１０にコアネットワーク１０６を介してアクセスする必要がない可能性がある。
【００２１】
ＲＡＮ１０４は、ＷＴＲＵ１０２ａ、１０２ｂ、１０２ｃ、１０２ｄの１または複数に、音声サービス、データサービス、アプリケーションサービス、および／またはボイスオーバーインターネットプロトコル（ＶｏＩＰ）サービスを提供するように構成された任意のタイプのネットワークでよいコアネットワーク１０６と通信していてよい。例えば、コアネットワーク１０６は、呼制御、ビリングサービス、モバイルロケーションベースのサービス、プリペイド通話、インターネット接続、ビデオ配信などを提供すること、および／またはユーザ認証などの高レベルセキュリティ機能を実行することができる。図１Ａには示されていないが、ＲＡＮ１０４および／またはコアネットワーク１０６は、ＲＡＮ１０４と同じＲＡＴまたは異なるＲＡＴを利用する他のＲＡＮと直接または間接的に通信していてよいことが理解されるであろう。例えば、Ｅ−ＵＴＲＡ無線技術を利用していてよいＲＡＮ１０４に接続されていることに加えて、コアネットワーク１０６はまた、ＧＳＭ無線技術を利用している別のＲＡＮ（図示せず）と通信していてもよい。
【００２２】
コアネットワーク１０６はまた、ＰＳＴＮ１０８、インターネット１１０、および／または他のネットワーク１１２にアクセスするために、ＷＴＲＵ１０２ａ、１０２ｂ、１０２ｃ、１０２ｄのためのゲートウェイとして役立つ。ＰＳＴＮ１０８は、プレインオールド電話サービス（ＰＯＴＳ）を提供する回線交換電話網を含んでよい。インターネット１１０は、ＴＣＰ／ＩＰインターネットプロトコルスイートにおける伝送制御プロトコル（ＴＣＰ）、ユーザデータグラムプロトコル（ＵＤＰ）およびインターネットプロトコル（ＩＰ）など共通の通信プロトコルを使用する相互接続されたコンピュータネットワークおよびデバイスのグローバルシステムを含んでよい。ネットワーク１１２は、他のサービスプロバイダによって所有され作動される有線または無線通信ネットワークを含んでよい。例えば、ネットワーク１１２は、ＲＡＮ１０４と同じＲＡＴまたは異なるＲＡＴを利用することができる１または複数のＲＡＮに接続された別のコアネットワークを含んでよい。
【００２３】
通信システム１００におけるＷＴＲＵ１０２ａ、１０２ｂ、１０２ｃ、１０２ｄのいくつかまたはすべては、マルチモード機能を含んでよい、すなわち、ＷＴＲＵ１０２ａ、１０２ｂ、１０２ｃ、１０２ｄは、異なる無線リンクを介して異なる無線ネットワークと通信するために複数のトランシーバを含んでよい。例えば、図１Ａに示されているＷＴＲＵ１０２ｃは、セルラベースの無線技術を利用することができる基地局１１４ａ、およびＩＥＥＥ８０２無線技術を利用することができる基地局１１４ｂと通信するように構成されてよい。
【００２４】
図１Ｂは、例示的ＷＴＲＵ１０２のシステム図である。図１Ｂに示されているように、ＷＴＲＵ１０２は、プロセッサ１１８、トランシーバ１２０、送／受信要素１２２、スピーカ／マイクロホン１２４、キーパッド１２６、ディスプレイ／タッチパッド１２８、取り外し不可能なメモリ１０６、取り外し可能なメモリ１３２、電源１３４、全地球測位システム（ＧＰＳ）チップセット１３６、および他の周辺機器１３８を含んでよい。ＷＴＲＵ１０２は、実施形態と矛盾しない限り、上記要素の任意の部分組合せを含んでよいことが理解されるであろう。
【００２５】
プロセッサ１１８は、汎用プロセッサ、専用プロセッサ、通常のプロセッサ、デジタル信号プロセッサ（ＤＳＰ）、複数のマイクロプロセッサ、ＤＳＰコアに関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、ステートマシンおよび同種のものでよい。プロセッサ１１８は、信号符号化、データ処理、電力制御、入／出力処理、および／またはＷＴＲＵ１０２が無線環境において動作することができるようにする任意の他の機能を実行することができる。プロセッサ１１８は、送／受信要素１２２に結合されてよいトランシーバ１２０に結合されてよい。図１Ｂは、プロセッサ１１８およびトランシーバ１２０を個別の構成要素として図示しているが、プロセッサ１１８およびトランシーバ１２０は電子パッケージまたはチップにまとめて一体化されてもよいことが理解されるであろう。
【００２６】
送／受信要素１２２は、エアインターフェース１１６を介して、基地局（例えば、基地局１１４ａ）に信号を送信する、またはそれから信号を受信するように構成されてよい。例えば、一実施形態では、送／受信要素１２２は、ＲＦ信号を送信および／または受信するように構成されたアンテナでよい。他の実施形態では、送／受信要素１２２は、例えば、ＩＲ、ＵＶ、または可視光信号を送信および／または受信するように構成されたエミッタ／検出器でよい。他の実施形態では、送／受信要素１２２は、ＲＦおよび光信号の両方を送信および受信するように構成されてよい。送／受信要素１２２は、無線信号の任意の組合せを送信および／または受信するように構成されてよいことが理解されるであろう。
【００２７】
さらに、送／受信要素１２２は、図１Ｂにおいて単一の要素として図示されているが、ＷＴＲＵ１０２は、任意の数の送／受信要素１２２を含んでよい。より詳細には、ＷＴＲＵ１０２は、ＭＩＭＯ技術を利用することができる。したがって、一実施形態では、ＷＴＲＵ１０２は、エアインターフェース１１６を介して無線信号を送信および受信するために２つ以上の送／受信要素１２２（例えば、複数のアンテナ）を含んでよい。
【００２８】
トランシーバ１２０は、送／受信要素１２２によって送信されるべき信号を変調し、送／受信要素１２２によって受信された信号を変調するように構成されてよい。上記のように、ＷＴＲＵ１０２は、マルチモード機能を有してよい。したがって、トランシーバ１２０は、ＷＴＲＵ１０２が、例えば、ＵＴＲＡおよびＩＥＥＥ８０２．１１などの複数のＲＡＴを介して通信することができるようにする複数のトランシーバを含んでよい。
【００２９】
ＷＴＲＵ１０２のプロセッサ１１８は、スピーカ／マイクロホン１２４、キーパッド１２６、および／またはディスプレイ／タッチパッド１２８（例えば、液晶ディスプレイ（ＬＣＤ）表示ユニットまたは有機発光ダイオード（ＯＬＥＤ）表示ユニット）に結合されてよく、それらからユーザ入力データを受信することができる。プロセッサ１１８はまた、スピーカ／マイクロホン１２４、キーパッド１２６、および／またはディスプレイ／タッチパッド１２８にユーザデータを出力することができる。さらに、プロセッサ１１８は、取り外し不可能なメモリ１３０および／または取り外し可能なメモリ１３２などの任意のタイプの適切なメモリから情報にアクセスし、それらにデータを格納することができる。取り外し不可能なメモリ１３０は、ランダムアクセスメモリ（ＲＡＭ）、読出し専用メモリ（ＲＯＭ）、ハードディスク、または任意の他のタイプのメモリストレージデバイスを含んでよい。取り外し可能なメモリ１３２は、加入者識別モジュール（ＳＩＭ）カード、メモリスティック、セキュアデジタル（ＳＤ）メモリカードおよび同種のものを含んでよい。他の実施形態では、プロセッサ１１８は、サーバまたはホームコンピュータ（図示せず）などのＷＴＲＵ１０２上に物理的に配置されていないメモリから情報にアクセスし、それにデータを格納することができる。
【００３０】
プロセッサ１１８は、電源１３４から電力を受け取ることができ、電力をＷＴＲＵ１０２内の他の構成要素に分配および／または制御するように構成されてよい。電源１３４は、ＷＴＲＵ１０２に電力を供給するための任意の適切なデバイスでよい。例えば、電源１３４は、１または複数の乾電池（例えば、ニッケルカドミウム（ＮｉＣｄ）、ニッケル亜鉛（ＮｉＺｎ）、水素化ニッケル金属（ＮｉＭＨ）、リチウムイオン（Ｌｉ−ｉｏｎ）など）、太陽電池、燃料電池および同種のものを含んでよい。
【００３１】
プロセッサ１１８はまた、ＷＴＲＵ１０２の現在の位置に関する位置情報（例えば、経度および緯度）を提供するように構成されてよいＧＰＳチップセット１３６に結合されてよい。ＧＰＳチップセット１３６からの情報に加えて、またはその代わりに、ＷＴＲＵ１０２は、基地局（例えば、基地局１１４ａ、１１４ｂ）からエアインターフェース１１６を介して位置情報を受信することができる、および／または信号が２つ以上の隣接する基地局から受信されるタイミングに基づいてその位置を判定することができる。ＷＴＲＵ１０２は、実施形態と矛盾しない限り、任意の適切な位置判定方法によって位置情報を取得することができることが理解されるであろう。
【００３２】
プロセッサ１１８は、追加の特徴、機能および／または有線もしくは無線接続を提供する１または複数のソフトウェアおよび／またはハードウェアモジュールを含んでよい他の周辺機器１３８にさらに結合されてよい。例えば、周辺機器１３８は、加速度計、ｅ−コンパス、衛星トランシーバ、デジタルカメラ（写真またはビデオ用）、ユニバーサルシリアルバス（ＵＳＢ）ポート、振動デバイス、テレビジョントランシーバ、ハンズフリーヘッドセット、ブルートゥース（登録商標）モジュール、周波数変調（ＦＭ）ラジオユニット、デジタルミュージックプレーヤ、メディアプレーヤ、ビデオゲームプレーヤモジュール、インターネットブラウザおよび同種のものを含んでよい。
【００３３】
図１Ｃは、一実施形態によるＲＡＮ１０４およびコアネットワーク１０６のシステム図である。上記のように、ＲＡＮ１０４は、ＵＴＲＡ無線技術を利用して、エアインターフェース１１６を介してＷＴＲＵ１０２ａ、１０２ｂ、１０２ｃと通信することができる。ＲＡＮ１０４はまた、コアネットワーク１０６と通信していてよい。図１Ｃに示されているように、ＲＡＮ１０４は、エアインターフェース１１６を介してＷＴＲＵ１０２ａ、１０２ｂ、１０２ｃと通信するために１または複数のトランシーバをそれぞれ含んでよいノードＢ１４０ａ、１４０ｂ、１４０ｃを含んでよい。ノードＢ１４０ａ、１４０ｂ、１４０ｃは、ＲＡＮの中の特定のセル（図示せず）にそれぞれ関連付けられてよい。ＲＡＮ１０４はまた、ＲＮＣ１４２ａ、１４２ｂを含んでよい。ＲＡＮ１０４は、実施形態と矛盾しない限り、任意の数のノードＢおよびＲＮＣを含んでよいことが理解されるであろう。
【００３４】
図１Ｃに示されているように、ノードＢ１４０ａ、１４０ｂは、ＲＮＣ１４２ａと通信していてよい。さらに、ノードＢ１４０ｃは、ＲＮＣ１４２ｂと通信していてよい。ノードＢ１４０ａ、１４０ｂ、１４０ｃは、Ｉｕｂインターフェースを介してそれぞれのＲＮＣ１４２ａ、１４２ｂと通信していてよい。ＲＮＣ１４２ａ、１４２ｂは、Ｉｕｒインターフェースを介して相互に通信していてよい。ＲＮＣ１４２ａ、１４２ｂのそれぞれは、それが接続されているそれぞれのノードＢ１４０ａ、１４０ｂ、１４０ｃを制御するように構成されてよい。さらに、ＲＮＣ１４２ａ、１４２ｂは、外部ループ電力制御、負荷制御、承認制御、パケットスケジューリング、ハンドオーバ制御、マクロダイバーシチ、セキュリティ機能、データ暗号化および同種のものなどの他の機能を実行またはサポートするように構成されてよい。
【００３５】
図１Ｃに示されているコアネットワーク１０６は、メディアゲートウェイ（ＭＧＷ）１４４、移動交換局（ＭＳＣ）１４６、サービングＧＰＲＳサポートノード（ＳＧＳＮ）１４８、および／またはゲートウェイＧＰＲＳサポートノード（ＧＧＳＮ）１５０を含んでよい。上記要素のそれぞれは、コアネットワーク１０６の一部として図示されているが、これらの要素のいずれか１つは、コアネットワークオペレータ以外のエンティティによって所有および／または作動されてよいことが理解されるであろう。
【００３６】
ＲＡＮ１０４内のＲＮＣ１４２ａは、ＩｕＣＳインターフェースを介してコアネットワーク１０６内のＭＳＣ１４６に接続されていてよい。ＭＳＣ１４６は、ＭＧＷ１４４に接続されていてよい。ＭＳＣ１４６およびＭＧＷ１４４は、ＷＴＲＵ１０２ａ、１０２ｂ、１０２ｃと従来の地上回線通信デバイスとの間の通信を容易にするために、ＷＴＲＵ１０２ａ、１０２ｂ、１０２ｃにＰＳＴＮ１０８などの回線交換ネットワークへのアクセスを提供することができる。
【００３７】
ＲＡＮ１０４内のＲＮＣ１４２ａはまた、ＩｕＰＳインターフェースを介してコアネットワーク１０６内のＳＧＳＮ１４８に接続されていてよい。ＳＧＳＮ１４８は、ＧＧＳＮ１５０に接続されていてよい。ＳＧＳＮ１４８およびＧＧＳＮ１５０は、ＷＴＲＵ１０２ａ、１０２ｂ、１０２ｃとＩＰ対応デバイスとの間の通信を容易にするために、ＷＴＲＵ１０２ａ、１０２ｂ、１０２ｃにインターネット１１０などのパケット交換ネットワークへのアクセスを提供することができる。
【００３８】
上記のように、コアネットワーク１０６はまた、他のサービスプロバイダによって所有および／または作動される他の有線または無線ネットワークを含んでよいネットワーク１１２に接続されていてよい。
【００３９】
図１Ｄは、図１Ａに例示されている通信システムの中で使用され得る例示的ＬＴＥ  ＲＡＮ１５４および例示的ＬＴＥコアネットワーク１５６のシステム図である。ＲＡＮ１５４は、Ｅ−ＵＴＲＡ無線技術を利用して、エアインターフェース１６６を介してＷＴＲＵ１５２ａ、１５２ｂ、１５２ｃと通信する。ＲＡＮ１５４はまた、コアネットワーク１５６と通信していてよい。
【００４０】
ＲＡＮ１５４は、ｅノードＢ１９０ａ、１９０ｂ、１９０ｃを含んでよいが、ＲＡＮ１５４は、実施形態と矛盾しない限り、任意の数のｅノードＢを含んでよいことが理解されるであろう。ｅノードＢ１９０ａ、１９０ｂ、１９０ｃそれぞれは、エアインターフェース１６６を介してＷＴＲＵ１５２ａ、１５２ｂ、１５２ｃと通信するために１または複数のトランシーバを含んでよい。一実施形態では、ｅノードＢ１９０ａ、１９０ｂ、１９０ｃは、ＭＩＭＯ技術を実施することができる。したがって、例えば、ｅノードＢ１９０ａは、複数のアンテナを使用して、無線信号をＷＴＲＵ１５２ａに送信し、無線信号をＷＴＲＵ１５２ａから受信することができる。
【００４１】
ｅノードＢ１９０ａ、１９０ｂ、１９０ｃのそれぞれは、特定のセル（図示せず）に関連付けられてよく、無線リソース管理決定、ハンドオーバ決定、アップリンクおよび／またはダウンリンクにおけるユーザのスケジューリングおよび同種のものを処理するように構成されてよい。図１Ｄに示されているように、ｅノードＢ１９０ａ、１９０ｂ、１９０ｃは、Ｘ２インターフェースを介して相互に通信することができる。
【００４２】
図１Ｄに示されているコアネットワーク１５６は、モビリティ管理ゲートウェイ（ＭＭＥ）１９２、サービングゲートウェイ１９４、およびパケットデータネットワーク（ＰＤＮ）ゲートウェイ１９６を含んでよい。上記要素のそれぞれは、コアネットワーク１５６の一部として図示されているが、これらの要素のいずれか１つはコアネットワークオペレータ以外のエンティティによって所有および／または作動されてよいことが理解されるであろう。
【００４３】
ＭＭＥ１９２は、Ｓ１インターフェースを介してＲＡＮ１５４内のｅノードＢ１９０ａ、１９０ｂ、１９０ｃのそれぞれに接続されていてよく、制御ノードとして役立ち得る。例えば、ＭＭＥ１９２は、ＷＴＲＵ１５２ａ、１５２ｂ、１５２ｃのユーザを認証すること、ベアラアクティブ化／非アクティブ化、ＷＴＲＵ１５２ａ、１５２ｂ、１５２ｃの初期アタッチ中に特定のサービングゲートウェイを選択することおよび同種のことの役割を担うことができる。ＭＭＥ１９２はまた、ＲＡＮ１５４と、ＧＳＭまたはＷＣＤＭＡなどの他の無線技術を利用する他のＲＡＮ（図示せず）との切り切り替えのための制御プレーン機能を提供することができる。
【００４４】
サービングゲートウェイ１９４は、Ｓ１インターフェースを介してＲＡＮ１５４内のｅノードＢ１９０ａ、１９０ｂ、１９０ｃのそれぞれに接続されていてよい。サービングゲートウェイ１９４は、一般に、ユーザデータパケットをＷＴＲＵ１５２ａ、１５２ｂ、１５２ｃに／からルーティングおよび転送することができる。サービングゲートウェイ１９４はまた、ｅノードＢ間のハンドオーバ中にユーザプレーンをアンカーすること、ダウンリンクデータがＷＴＲＵ１５２ａ、１５２ｂ、１５２ｃにとって利用可能である場合はページングをトリガすること、ＷＴＲＵ１５２ａ、１５２ｂ、１５２ｃのコンテキストを管理し格納することおよび同種のことなどの他の機能を実行することができる。
【００４５】
サービングゲートウェイ１９４はまた、ＷＴＲＵ１５２ａ、１５２ｂ、１５２ｃとＩＰ対応デバイスとの間の通信を容易にするために、ＷＴＲＵ１５２ａ、１５２ｂ、１５２ｃにインターネット１６０などのパケット交換ネットワークへのアクセスを提供することができるＰＤＮゲートウェイ１９６に接続されていてよい。
【００４６】
コアネットワーク１５６は、他のネットワークとの通信を容易にすることができる。例えば、コアネットワーク１５６は、ＷＴＲＵ１５２ａ、１５２ｂ、１５２ｃと従来の地上回線通信デバイスとの間の通信を容易にするために、ＷＴＲＵ１５２ａ、１５２ｂ、１５２ｃにＰＳＴＮ１５８などの回線交換ネットワークへのアクセスを提供することができる。例えば、コアネットワーク１５６は、コアネットワーク１５６とＰＳＴＮ１５８との間のインターフェースとして役立つＩＰゲートウェイ（例えば、ＩＰマルチメディアサブシステム（ＩＭＳ）サーバ）を含んでもよく、またはそれと通信することもできる。さらに、コアネットワーク１５６は、ＷＴＲＵ１５２ａ、１５２ｂ、１５２ｃに、他のサービスプロバイダによって所有および／または作動される他の有線もしくは無線ネットワークを含んでよいネットワーク１６２へのアクセスを提供することができる。
【００４７】
以下で言及される場合は、用語「アクセスポイントネーム」（ＡＰＮ）は、ネットワーク（例えば、インターネット、パケットデータネットワークなど）へのポータルに対応する。ＡＰＮは、規定されたデータレート計画の中で定義されているＡＰＮの定義に基づいて特定のデータサービスを提供するために使用される。各ＡＰＮは、ネットワークへのアクセスを可能にするが、アクセスおよび関連ビリングは、ＡＰＮごとに異なってよい。
【００４８】
以下で言及される場合は、用語「パケットデータネットワーク（ＰＤＮ）接続」は、１つのＩＰバージョン４（ＩＰｖ４）アドレスおよび／または１つのＩＰバージョン６（ＩＰｖ６）プレフィックスによって表されるＷＴＲＵと、ＡＰＮによって表されるＰＤＮとの間の関連に対応する。
【００４９】
以下で言及される場合は、用語「非アクセス層」（ＮＡＳ）は、コアネットワーク（ＣＮ）とＷＴＲＵとの間の無線プロトコルスタックにおける機能層に対応する。ＮＡＳ層は、ＣＮとＷＴＲＵとの間のシグナリングおよびトラフィックをサポートする。ＮＡＳの機能は、以下のもの、すなわち、接続管理（ＣＭ）、モビリティ管理（ＭＭ）、ＧＰＲＳモビリティ管理（ＧＭＭ）、セッション管理（ＳＭ）、ＥＰＳモビリティ管理（ＥＭＭ）およびＥＰＳセッション管理（ＥＳＭ）、サブスクリプション管理、セキュリティ管理および課金および同種のものを含むがそれらに限定されない。
【００５０】
以下で言及される場合は、用語「アクセス層」（ＡＳ）は、無線アクセスネットワーク（ＲＡＮ）とＷＴＲＵとの間の無線プロトコルスタックにおける機能層ならびにＲＡＮノード間またはＲＡＮとＣＮとの間の無線インターフェースに対応する。アクセス層は、無線インターフェース（アクセス技術）にリンクされた特徴に対応する。それは、無線インターフェースを介してのデータの伝送および無線インターフェースの管理に関連するサービスを提供する。アクセス層のサブ層は、無線リソース制御（ＲＲＣ）、パケットデータコンバージェンスプロトコル（ＰＤＣＰ）、無線リンク制御（ＲＬＣ）、媒体アクセス制御（ＭＡＣ）、および物理層（ＰＨＹ）を含む。
【００５１】
以下で言及される場合は、用語「１次セル」（例えば、ＬＴＥにおけるＰセルおよびＷＣＤＭＡにおける１次サービングセル）は、一般性を失うことなく、ＷＴＲＵがシステムへの初期アクセスを実行する（例えば、ＷＴＲＵが初期接続確立手順を実行する、または接続再確立手順を開始する）１次周波数で動作するセル、もしくはハンドオーバ手順において１次セルとして示されたセルまたは同種のものを含む。１次セルは、無線リソース接続構成手順の一部として示された周波数に対応してよい。いくつかの機能は、１次セル上でのみサポートされてよい。例えば、１次セルのＵＬ  ＣＣは、その物理アップリンク制御チャネルリソースが所与のＷＴＲＵのためにすべてのハイブリッド自動反復要求（ＨＡＲＱ）肯定応答／否定応答（ＡＣＫ／ＮＡＣＫ）フィードバックを実行するように構成されたＣＣに対応してよい。ＬＴＥでは、ＷＴＲＵは、Ｐセルを使用して、セキュリティ機能のための、およびＮＡＳモビリティ情報などの上位層システム情報のためのパラメータを導出する。ＰセルＤＬ上でのみサポートされ得る他の機能は、システム情報取得、ブロードキャスト制御チャネル（ＢＣＣＨ）上での変更監視手順、およびページングを含む。
【００５２】
以下で言及される場合は、用語「２次セル」（例えば、ＬＴＥにおけるＳセルおよびＷＣＤＭＡにおける２次サービングセル）は、一般性を失うことなく、２次周波数で動作するセルを含み、このセルは、無線リソース制御接続が確立されるとすぐ構成されてよく、追加の無線リソースを提供するために使用され得る。２次セルにおける動作に関するシステム情報は、２次セルがＷＴＲＵの構成に追加された場合に、専用シグナリングを使用して提供され得る。パラメータは、システム情報シグナリングを使用して関係する２次セルのダウンリンク上でブロードキャストされるものとは異なる値を有してよいが、この情報は、この情報を取得するためにＷＴＲＵによって使用される方法に関係なく、関係する２次セルのシステム情報と呼ばれてよい。
【００５３】
以下で言及される場合は、用語「サービングセル」は、一般性を失うことなく、１次セル（例えば、Ｐセル）または２次セル（例えば、Ｓセル）を含む。２次セルを有して構成されていない、または複数のキャリア、周波数、もしくはコンポーネントキャリア（すなわち、キャリアアグリゲーション）上の動作をサポートしないＷＴＲＵでは、１つのサービングセルがあり、これは１次セルである。少なくとも１つの２次セルを有して構成されているＷＴＲＵでは、用語「サービングセル」は、１次セルおよびすべての構成された２次セルを含む１または複数のセルのセットを含む。
【００５４】
ＷＴＲＵが少なくとも１つの２次セルを有して構成されている場合は、１つの１次セルＤＬおよび１つの１次セルＵＬがあってよく、構成された２次セルごとに、１つの２次セルＤＬおよび１つの２次セルＵＬ（構成されている場合は）があってよい。
【００５５】
以下で言及される場合は、用語「マルチモードＷＴＲＵ」は、ＧＳＭ、ＷＣＤＭＡ、ＨＳＰＡ、ＨＳＤＰＡ、ＨＳＵＰＡおよびＬＴＥ、ＩＥＥＥ８０２．１１ｂ／ａ／ｇ／ｎ、８０２．１６ａ／ｅおよび８０２．２０、ＣＤＭＡ２０００  １ｘ、ＣＤＭＡ２０００  ＥＶ−ＤＯおよび同種のものなどの、しかしそれらに限定されない、複数のＲＡＴをサポートし、それら上で同時に動作することができる任意のＷＴＲＵを含む。
【００５６】
以下で言及される場合は、用語「１次ＲＡＴ」は、少なくとも１つのサービングセルが、以下の機能の少なくとも１つがそこからサポートされ得る１次セルとしてそのために構成されるＲＡＴを意味する。ＲＲＣ接続が確立および接続され、セキュリティパラメータが導出され、アップリンクリソースがアップリンク制御情報（ＵＣＩ）を伝送するために使用され、および／または少なくとも１つのサービングセルがアップリンクリソースを有して構成される。１次ＲＡＴおよびアンカーＲＡＴは、「第１のＲＡＴ」と呼ばれてよい。
【００５７】
以下で言及される場合は、用語「２次ＲＡＴ」は、ＷＴＲＵの構成の１次ＲＡＴではない構成されたサービングセルの１つによって使用されるＲＡＴを意味する。
【００５８】
以下では、専門用語「キャリア」、「周波数」、および「コンポーネントキャリア」は、互換可能に使用され得る。
【００５９】
以下では、複数のＲＡＴの複数のキャリア、周波数、またはコンポーネントキャリア（以下では「キャリア」）上で同時の（またはほとんど同時の）動作をサポートするマルチモードＷＴＲＵのマルチＲＡＴ動作のための諸実施形態が説明される。諸実施形態は、例として、ＬＴＥおよびＷＣＤＭＡ／ＨＳＰＡの２つのＲＡＴに関連して説明されるが、本明細書において開示される諸実施形態は、任意のＲＡＴおよび３つ以上のＲＡＴに適用可能である。関係するＲＡＴは、単一の公衆地上モバイルネットワーク（ＰＬＭＮ）または異なるＰＬＭＮ上にあってよい。
【００６０】
図２は、１つのＰＤＮ接続からのデータトラフィックが複数のＲＡＴ（この例では、ＬＴＥ  ＲＡＴおよびＵＴＲＡＮ  ＲＡＴ）にマッピングされる例示的ネットワークアーキテクチャを示す。図２では、インターネット２１８へのまたはそれからのデータトラフィックは、ユーザプレーンにおけるＳＧＳＮ２１２およびＳＧＷ２０６の両方から／にＰＤＮ  ＧＷ２１４を介して伝送される。データトラフィックは、ＵＴＲＡＮ側では、ＳＧＳＮ２１２、ＲＮＣ２１０、およびノードＢ２０８を介してＷＴＲＵ２０２（すなわち、マルチモードＷＴＲＵ）に／から伝送され、ＬＴＥ側では、ＳＧＷ２０６およびｅノードＢ２０４を介してＷＴＲＵ２０２に／から伝送される。さらに、ＭＭＥ２１６とＳＧＳＮ２１２との間に制御プレーン接続があってもよい。異なるネットワークアーキテクチャには異なるユーザプレーン接続があってよいことに留意されたい。例えば、ユーザプレーンは、ＰＤＮ  ＧＷ２１４からＳＧＷ２０６に、次いでＲＮＣ２１０に行ってもよく、またはＰＤＮ  ＧＷ２１４から直接ＲＮＣ２１０に行ってもよい。ｅＮＢ２０４とＲＮＣ２１０との間に、ＭＭＥ２１６とＲＮＣ２１０との間に、および／またはＳＧＷ２０６とＲＮＣ２１０との間に、制御プレーン接続があってよい。
【００６１】
マルチモードＷＴＲＵ２０２は、ＧＳＭ、ＷＣＤＭＡ、ＨＳＰＡ、ＨＳＤＰＡ、ＨＳＵＰＡ、ＬＴＥ、ＩＥＥＥ規格８０２．１１ｂ／ａ／ｇ／ｎ、８０２．１６ａ／ｅ、８０２．２０、ＣＤＭＡ２０００  １ｘ、ＣＤＭＡ２０００  ＥＶ−ＤＯまたは同種のものなどの、しかしそれらに限定されない、複数のＲＡＴをサポートする。マルチモードＷＴＲＵ２０２は、１次ＲＡＴの少なくとも１つのキャリア（ＤＬキャリア、ＵＬキャリア、または両方）および２次ＲＡＴの少なくとも１つのキャリア（ＤＬキャリア、ＵＬキャリア、または両方）で動作するように構成されてよい。さらに、異なるキャリア上での動作は、同時に行われてもよく、または適時にほとんど同時に行われてもよい。あるいは、異なるＲＡＴ上の動作は、（例えば、同じキャリア上で）順次行われてもよい。
【００６２】
図３Ａ〜６Ｃは、マルチＲＡＴアクセス動作のための代替ネットワークアーキテクチャを示す。本明細書において開示される諸実施形態は、これらのアーキテクチャのいずれにも適用可能である。
【００６３】
図３Ａおよび３Ｂでは、ユーザプレーントラフィックは、２つのゲートウェイ、ＰＧＷ３１４およびＧＧＳＮ３２０を経由して伝送されてよい。ＬＴＥトラフィックは、ＰＧＷ３１４、ＳＧＷ３０６、およびｅノードＢ３０４を介して伝送され、ＵＴＲＡＮトラフィックは、ＧＧＳＮ３２０、ＳＧＳＮ３１２、ＲＮＣ３１０、およびＮＢ３０８を介して伝送される。ユーザプレーントラフィックのためにＲＮＣ３１０とＳＧＷ３０６との間にトンネルが確立されてよい。あるいは、図３Ｂに示されているように、ＰＧＷ３１４とＲＮＣ３１０との間に、ＳＧＳＮ３１２とｅノードＢ３０４との間に、またはＲＮＣ３１０とｅノードＢ３０４との間に、トンネルが確立されてよい。
【００６４】
図４Ａおよび４Ｂでは、ユーザプレーントラフィックは、単一のゲートウェイ、ＧＧＳＮ４２０を経由して伝送されてよい。図４Ａでは、トラフィックは、ＳＧＳＮ４１２においてＲＮＣ４１０およびｅノードＢ４０６に分配される。あるいは、図４Ｂに示されているように、ＧＧＳＮ４２０とＲＮＣ４１０との間に、またはＧＧＳＮ４２０とｅノードＢ４０６との間に、直接トンネルが確立されてもよい。
【００６５】
図５Ａおよび５Ｂでは、ユーザプレーントラフィックは、単一のゲートウェイ、ＰＧＷ５１４を経由して伝送されてよい。トラフィックは、ＳＧＷ５０６においてｅノードＢ５０４およびＲＮＣ５１０に分配されてよい。あるいは、トラフィックは、ＰＧＷ５１４において分配されてもよい。
【００６６】
図６Ａでは、コア６３０からのＬＴＥトラフィックおよびＨＳＰＡトラフィックは、それぞれｅノードＢ６０４およびＲＮＣ６１０に伝送され、それぞれｅノードＢ６０４およびノードＢ６０８を介してＬＴＥ  ＷＴＲＵ６３２およびＨＳＰＡ  ＷＴＲＵ６３４に伝送される。マルチモードＷＴＲＵ６０２へのトラフィックは、ｅノードＢ６０４、ＲＮＣ６１０、またはノードＢ６０８において分配されてよく、ｅノードＢ６０４およびノードＢ６０８の両方を介してマルチモードＷＴＲＵ６０２に伝送されてよい。
【００６７】
図６Ｂおよび６Ｃは、コアネットワークノードをより詳細に示す。図６Ｂでは、ユーザプレーントラフィックは、単一のゲートウェイ（すなわち、並置されたＰ−ＧＷ／ＧＧＳＮ６３６）を経由してＳＧＷ６０６およびＳＧＳＮ６１２にルーティングされる。図６Ｃでは、ユーザプレーントラフィックは、別々のゲートウェイ（すなわち、ＰＧＷ６１４およびＧＧＳＮ６２０）を経由してルーティングされる。
【００６８】
ＷＴＲＵおよびネットワークは、マルチＲＡＴアクセスを以下の情報のいずれかまたはそれらの組合せに基づいてイネーブルおよびディセーブルすることができる。ＷＴＲＵ機能、ネットワークによるマルチＲＡＴアクセスのサポート、ＷＴＲＵサブスクリプションおよびサービスレベル契約（例えば、加入者特典またはパーミッション）、ＷＴＲＵがローミングしているか否か、選択されたＡＰＮ、サービスタイプまたはトラフィックタイプ（例えば、ローカルＩＰアクセス（ＬＩＰＡ）、選択的ＩＰトラフィックオフロード（ＳＩＰＴＯ）、リモートＩＰアクセス（ＲＩＰＡ）など）、加入者プロファイルＩＤ（ＳＰＩＤ）、セルアクセスモードおよびクローズド加入者グループ（ＣＳＧ）ＩＤ、サービス品質（ＱｏＳ）情報および関連閾値（複数可）、アプリケーション要件、無線状態および測定値ならびに関連閾値（複数可）、コアネットワークオーバーロード制御ポリシおよびトリガ、公衆地上モバイルネットワーク（ＰＬＭＮ）タイプ（例えば、無線アクセスネットワーク（ＲＡＮ）共用対非ＲＡＮ共用）、マルチホーミングサポート（すなわち、同じアプリケーションのための複数のＩＰアドレスに対するサポート）、オペレータ構成ポリシ情報、ＷＴＲＵからの近傍表示（すなわち、マルチＲＡＴアクセス機能を有するセルの近傍にいること）、特定のＩＰフローまたはＩＰフロークラスおよび同種のもの。
【００６９】
ネットワークおよびＷＴＲＵの両方がマルチＲＡＴアクセスをサポートする場合は、ＷＴＲＵおよびネットワークは、ＷＴＲＵのためにマルチＲＡＴアクセをイネーブルすることができる。ＷＴＲＵは、マルチＲＡＴアクセスに対するＷＴＲＵのサポート（すなわち、ＷＴＲＵ機能）をネットワークに示すことができる。ＷＴＲＵは、最初のアクセスまたは登録（例えば、ＲＲＣ接続要求、アタッチ手順、トラッキングエリア更新（ＴＡＵ）、ルーティングエリア更新（ＲＡＵ）など）時、ＰＤＮ接続要求時、専用ベアラ要求またはサービス要求時、または同様の時に、ＷＴＲＵ機能を示すことができる。マルチＲＡＴアクセスに対するサポートはまた、ターゲットセルへのハンドオーバ中に、ＷＴＲＵ、ソースセル、または任意のネットワークノードのいずれかによって示されてもよい。
【００７０】
マルチＲＡＴアクセスは、ＷＴＲＵサブスクリプションおよびサービスレベル契約に基づいてイネーブルまたはディセーブルされ得る。ＷＴＲＵは、マルチＲＡＴアクセス可能であってもよいが、マルチＲＡＴアクセスがサブスクリプションおよびサービス契約によってサポートされていない場合は、マルチＲＡＴアクセスによってサービスを取得することができない可能性がある。ＷＴＲＵまたはユーザのためのサブスクリプションおよびサービス契約は、ネットワーク（例えば、ＨＳＳ／ＨＬＲ）に格納されてよい。
【００７１】
マルチＲＡＴアクセスは、ローミング状態（ＷＴＲＵがローミングしているか否か）に基づいてイネーブルまたはディセーブルされ得る。例えば、ＷＴＲＵは、ローミングしている間にマルチＲＡＴアクセスを許可されてもされなくてもよく、ＷＴＲＵは、ローミング状態に基づいてマルチＲＡＴアクセスをイネーブルまたはディセーブルすることができる。
【００７２】
マルチＲＡＴアクセスは、選択されたＡＰＮのタイプに基づいて、イネーブルまたはディセーブルされ得る。あるＡＰＮは、あるＲＡＴにマッピングされてよい。ＷＴＲＵまたはコアネットワークによるそのようなＡＰＮ上でのＰＤＮ接続を求める要求は、マルチＲＡＴアクセスおよび関連するＲＡＴ（複数可）上でのベアラの確立をトリガすることができる。
【００７３】
マルチＲＡＴアクセスは、要求されたサービスタイプに基づいてイネーブルまたはディセーブルされ得る。例えば、ＷＴＲＵがそのＬＴＥ  ＲＡＴをアクティブにしている間に、回線交換（ＣＳ）サービス（例えば、ショートメッセージサービス（ＳＭＳ）、補足サービス（ＳＳ）、音声通話など）を求める要求は、マルチＲＡＴアクセスをイネーブルすることができる。
【００７４】
マルチＲＡＴアクセスは、トラフィックのタイプ（例えば、ＬＩＰＡ、ＳＩＰＴＯなど）に基づいてイネーブルまたはディセーブルされ得る。例えば、ＷＴＲＵがローカルネットワーク（例えば、フェムトセル）にあり、ＬＩＰＡ、ＳＩＰＴＯまたは同種のものが使用されている場合は、ＷＴＲＵは、マルチＲＡＴアクセスをイネーブルすることができる。ＷＴＲＵは、トラフィックがマルチＲＡＴアクセスをサポートするセルにオフロードされるべきであることを示すＲＲＣまたはＮＡＳメッセージの受信時に、ＬＩＰＡまたはＳＩＰＴＯをサポートするネットワークへのアクセスをイネーブルすることができる。
【００７５】
マルチＲＡＴアクセスは、加入者プロファイルＩＤ（ＳＰＩＤ）に基づいてイネーブルまたはディセーブルされ得る。ｅノードＢは、（ハンドオーバのために）ＭＭＥまたはソースｅノードＢからＳＰＩＤパラメータを受信する。例えば、ＳＰＩＤパラメータは、初期コンテキストセットアップ要求メッセージ、ＵＥコンテキスト変更要求メッセージ、ハンドオーバ要求メッセージまたは同種のものに含まれてよい。ｅノードＢによって受信されたＳＰＩＤパラメータは、ユーザ情報（例えば、モビリティプロファイル、サービス使用プロファイル）を指すインデックスである。このインデックスは、例えば、アイドルモードにおけるキャンプ優先度を定義し、アクティブモードにおけるＲＡＴ間／周波数間ハンドオーバを制御するためにローカルに定義された構成にｅノードＢによってマッピングされる。ＳＰＩＤは、ユーザ特有でよく、そのすべての無線ベアラに適用され得る。あるいは、ＳＰＩＤは、特定のサービス、特定のサービスデータフロー（ＳＤＦ）、特定のベアラ、または特定のＡＰＮに適用され得る。
【００７６】
ＲＡＴ／周波数優先度選択のために定義されたＳＰＩＤは、サービス、またはＬＩＰＡ、ＳＩＰＴＯもしくはＲＩＰＡなどのトラフィックタイプへのアクセシビリティを制御するために使用され得る。ＳＰＩＤは、動作のＳＩＰＴＯ、ＬＩＰＡまたはＲＩＰＡモードをイネーブル、トリガ、および終了するために使用され得る。
【００７７】
マルチＲＡＴアクセスは、セルアクセスモードおよびＣＳＧ  ＩＤに基づいてイネーブルまたはディセーブルされ得る。ＷＴＲＵがローカルセル（例えば、フェムトセル）に接続され、ＣＳＧ  ＩＤが一致した場合、ＷＴＲＵは、マルチＲＡＴアクセスをイネーブルすることができる。
【００７８】
マルチＲＡＴアクセスは、サービス品質（ＱｏＳ）情報および関連する閾値（複数可）、ならびに／またはアプリケーション要件に基づいてイネーブルまたはディセーブルされ得る。例えば、アプリケーションが特定のＱｏＳを必要とする場合は、マルチＲＡＴは、イネーブルされ得る。
【００７９】
マルチＲＡＴアクセスは、ＷＴＲＵからの近傍表示（すなわち、マルチＲＡＴアクセス機能を有するセルの近傍にいること）に基づいてイネーブルまたはディセーブルされ得る。ＷＴＲＵは、セルを検出し、ＷＴＲＵが特定のセルの近くにいることを示す近傍表示をネットワークに送信することができる。ＷＴＲＵは、ＷＴＲＵが特定のセルの近くにある場合は、（例えば、ＣＳＧ  ＩＤに基づいて）、マルチＲＡＴアクセスをイネーブルすることができる。
【００８０】
マルチＲＡＴアクセスを使用するためのアクティブ化または決定は、１または複数の予め定めた基準に基づいてトリガされ得る。
【００８１】
マルチＲＡＴアクセスは、マルチＲＡＴアクセスがアクティブ化されていない場合、（１つのＲＡＴを介して、所与のＡＰＮのための１つのＲＡＴを介して、所与のトラフィックタイプまたは所与のサービスタイプのための１つのＲＡＴを介して提供され得る）最大ビットレートを超えた場合は、アクティブ化され得る。最大ビットレートは、コアネットワーク（例えば、ＨＳＳ、ＨＬＲ）に格納されているＷＴＲＵサブスクリプション情報に基づいて判定され得る。
【００８２】
あるいは、マルチＲＡＴアクセスは、要求されたＡＰＮのタイプに基づいてアクティブ化されてよい。いくつかのＡＰＮは、いくつかのＲＡＴにマッピングされてよい。ＷＴＲＵまたはコアネットワークのいずれかによるそのようなＡＰＮ上のＰＤＮ接続を求める要求は、関連するＲＡＴ上のベアラのマルチＲＡＴアクセスおよび確立をトリガすることができる。
【００８３】
あるいは、マルチＲＡＴアクセスは、いくつかのタイプのトラフィック（例えば、ＬＩＰＡ、ＳＩＰＴＯ、ＲＩＰＡなど）のアクティブ化時にアクティブ化されてよい。
【００８４】
あるいは、マルチＲＡＴアクセスは、現在のサービングセルがいくつかのベアラ（またはＰＤＮ接続）を別のセルにハンドオーバすること決定したときにアクティブ化されてもよい。サービングセルは、ベアラのいくつかをオフロードするための要求をコアネットワーク（例えば、ＭＭＥおよび／またはＳＧＳＮ）に送信することができる。サービングセルは、コアネットワークにハンドオーバのためのターゲットセル（またはセル）を示すことができる。
【００８５】
あるいは、マルチＲＡＴアクセスは、無線状態または任意の他のアクセス情報に基づいたＷＴＲＵによる決定時にアクティブ化されてもよい。そのような決定時に、ＷＴＲＵは、いくつかのベアラのオフロードを開始するか、またはマルチＲＡＴアクセスモードで新しいベアラもしくはＰＤＮ接続をセットアップするために、アクセス層メッセージをＲＡＮに、または非アクセス層メッセージをコアネットワークに送信することができる、ＷＴＲＵは、メッセージにおいて候補ＲＡＴまたは候補セルを示すことができる。
【００８６】
あるいは、マルチＲＡＴアクセスは、要求されたサービスのタイプに基づいてアクティブ化されてもよい。例えば、パケット交換（ＰＳ）サービスが要求された場合は、ＰＳサービス（ＬＴＥなど）を提供するＲＡＴがアクティブ化されてよい。例えば、ＷＴＲＵがそのＬＴＥ  ＲＡＴをアクティブにしている場合は、回線交換（ＣＳ）サービス（例えば、ショートメッセージサービス（ＳＭＳ）、ＳＳ、音声通話など）を求める要求は、マルチＲＡＴアクセスのアクティブ化／開始をトリガすることができる。
【００８７】
あるいは、マルチＲＡＴアクセスは、ユーザからの（例えば、ユーザインターフェースまたはユーザによるＷＴＲＵ設定の変更を介しての）要求時にアクティブ化されてもよい。ＷＴＲＵ設定は、オペレーション、メンテナンス、アカウンティング（ＯＭＡ）デバイス管理（ＤＭ）またはオーバジエア（ＯＴＡ）を介して変更され得る。
【００８８】
あるいは、マルチＲＡＴアクセスは、マルチＲＡＴアクセスで動作するようにとの明確な表示の受信時にアクティブ化されてもよい。ＷＴＲＵは、この表示を任意のネットワークノード（すなわち、任意のＲＡＮノード（例えば、ＲＮＣ、ｅＮＢなど）または任意のＣＮノード（例えば、ＭＭＥ、ＳＧＳＮなど））から受信することができる。
【００８９】
あるいは、マルチＲＡＴアクセスは、（例えば、負荷分散の一部として）負荷状態および閾値（複数可）に基づいてアクティブ化されてもよい。
【００９０】
あるいは、マルチＲＡＴアクセスは、システムがマルチＲＡＴアクセスをサポートするという表示の受信時にアクティブ化されてもよい。ＷＴＲＵがそのような表示を受信した場合は、ＷＴＲＵはその情報をユーザに表示し、その結果、ユーザはマルチＲＡＴアクセスをアクティブ化することを決定することができる。ＷＴＲＵはまた、ユーザにネットワークがマルチＲＡＴアクセスをサポートしていないことを示すこともできる。
【００９１】
あるいは、マルチＲＡＴアクセスは、近傍表示に基づいてアクティブ化されてもよい。
【００９２】
あるいは、マルチＲＡＴアクセスは、セキュリティモード再構成に基づいてアクティブ化されてもよい。
【００９３】
マルチＲＡＴアクセスは、最初から（例えば、サブスクリプション、ＷＴＲＵ機能、高スループットなどのアプリケーション要件または同種のものに基づいて）、または続いて、例えば、ＷＴＲＵが接続モードにある（例えば、ＷＴＲＵがセルの中心にある）間に無線状態が追加のＲＡＴキャリアのアクティブ化を保証するときに、トリガされてよい。例えば、ポリシが、負荷が均等に分散されることを必要とする場合は、ある閾値より高いネットワーク負荷が、マルチＲＡＴアクセスのための第２のＲＡＴの開始をトリガすることができる。あるいは、マルチＲＡＴアクセスは、異なる基準、例えば、アプリケーション要件またはＱｏＳ要件に基づいてトリガされてもよい。
【００９４】
ＷＴＲＵは、自動的にまたはユーザからの表示時に、マルチＲＡＴアクセスを開始する。そのような決定時に、ＷＴＲＵは、マルチＲＡＴアクセスモードでいくつかのベアラのオフロードを開始するかまたは新しいベアラもしくはＰＤＮ接続をセットアップするために、アクセス層レベルメッセージをＲＡＮに、またはＮＡＳレベルメッセージをコアネットワークに送信することができる。ＷＴＲＵは、メッセージにおいて候補ＲＡＴおよび／または候補セルを示すことができる。ＷＴＲＵは、適切なＡＰＮ、サービスのタイプ、および／またはトラフィックのタイプを選択することによりマルチＲＡＴアクセスを開始することができる。
【００９５】
あるいは、無線アクセスネットワークノード（例えば、ノードＢ、ｅノードＢ、ホーム（ｅ）ノードＢ（Ｈ（ｅ）ＮＢ）、ＲＮＣ）は、マルチＲＡＴアクセスモードで動作を開始してもよい。例えば、ＷＴＲＵからのアクセス要求（例えば、ＲＲＣ接続要求）の受信時に、コアネットワークからのベアラリソース確立に関するメッセージ（例えば、無線アクセスベアラ（ＲＡＢ）割り当て要求、再配置要求、初期コンテキストセットアップ要求、Ｅ−ＲＡＢセットアップ要求、ハンドオーバ要求）の受信時に、または、ベアラリソース確立に関する別のＲＡＮノードからの要求（例えば、拡張再構成情報要求、ハンドオーバ要求）の受信時に、ＲＡＮノードは、別のセルに対しておよび別のＲＡＴ上で、要求されたベアラリソースの一部を確立し、それによってマルチＲＡＴアクセスモードをトリガすることができる。ＲＡＮノードはまた、ハンドオーバ手順の一部として、現在のＲＡＮノードによってサービスされているＷＴＲＵのベアラのサブセットをハンドオーバすることを決定することもできる。
【００９６】
他の実施例では、トラフィックをオフロードし、負荷を低減するために、またはハンドオーバの一部として、サービングＲＡＮノードは、ＷＴＲＵの現在のベアラの一部を別のＲＡＴ上のターゲットセルにハンドオーバし、それによってマルチＲＡＴアクセスモードをトリガすることを決定することができる。
【００９７】
あるいは、コアネットワーク（例えば、ＭＭＥ、ＳＧＷ、ＰＧＷ、ＳＧＳＮ、ＰＣＲＦなど）は、マルチＲＡＴアクセスモードで動作をトリガしてもよい。例えば、コアネットワークは、複数のＲＡＴ上でモバイル終了セッションのためにＷＴＲＵをページし、ＷＴＲＵに複数のＲＡＴ上で接続を開始するよう要求することができ、その結果、複数のＲＡＴ上でベアラリソースが確立されることが可能になる。
【００９８】
動作のマルチＲＡＴアクセスモードは、以下の時点のいずれかにおいてトリガされてよい。登録（ネットワークアタッチメント）中、任意のシステムアクセスまたはモビリティ管理手順（例えば、登録（ネットワークアタッチメント）、ＴＡＵ／ＲＡＵ、サービス要求（アイドルモードから接続モードへの移行））中、専用ベアラアクティブ化、ＱｏＳ更新を伴うまたは伴わないベアラ変更、または追加のＰＤＮ接続確立を含む任意のセッション管理手順中、ハンドオーバまたは同種のこと中。
【００９９】
マルチＲＡＴアクセスモードは、アイドルモードまたは接続モードでアクティブ化されてよい。例えば、マルチＲＡＴアクセス動作機能および関連基準は、セル選択中に考慮されてよい。非マルチＲＡＴ可能ＷＴＲＵは、アイドルモードおよび接続モードの両方でマルチＲＡＴ可能セルを選択することはできない。マルチＲＡＴアクセストリガ決定は、ＰＬＭＮ選択時に行われてよい。ＷＴＲＵは、ＰＬＭＮ選択中にマルチＲＡＴアクセスモードで動作する必要を考慮することができる。動作のマルチＲＡＴアクセスモードは、ＷＴＲＵのいくつかの時点またはいくつかの状態において制限または禁止されてよい。例えば、マルチＲＡＴ動作は、ＷＴＲＵがアイドルモードにあるとき、またはハンドオーバ手順の実行中に、制限または禁止されてよい。例えば、マルチＲＡＴアクセスは、ハンドオーバ手順の前にＵＴＲＡＮおよびＥ−ＵＴＲＡＮの両方上でアクティブ化され、ハンドオーバ動作は、Ｅ−ＵＴＲＡＮ  ＲＡＴに対して展開し、ＵＴＲＡＮ  ＲＡＴは、ハンドオーバの前に非アクティブ化され、ハンドオーバ動作の成功後に再アクティブ化されてよい。
【０１００】
動作のマルチＲＡＴアクセスモードは、上記で開示されたマルチＲＡＴアクセスの開始のための基準のいずれかまたは組合せに基づいて終了してよい。
【０１０１】
マルチＲＡＴアクセスは、１つのＲＡＴを介して、所与のＡＰＮのための１つのＲＡＴを介して、または所与のトラフィックタイプもしくは所与のサービスタイプのための１つのＲＡＴを介して提供され得る最大ビットレートがユーザベアラのデータレート要件を満たす場合は、非アクティブ化されてよい。最大ビットレートは、ネットワーク（例えば、ＨＳＳ、ＨＬＲ）に格納されているＷＴＲＵサブスクリプション情報に基づいて決定されてよい。
【０１０２】
マルチＲＡＴアクセスは、ユーザによって要求されたＡＰＮのタイプが変更された場合は、非アクティブ化されてよい。あるＡＰＮは、あるＲＡＴにマッピングされてよい。ＷＴＲＵまたはコアネットワークのいずれかによるそのようなＡＰＮ上でのＰＤＮ接続を求める要求は、関連するＲＡＴ上でベアラの確立をトリガすることができる。したがって、ユーザによって要求されたＡＰＮの変更は、ＡＰＮが１つのＲＡＴを必要とする場合は、マルチＲＡＴアクセスの非アクティブ化につながる可能性がある。
【０１０３】
マルチＲＡＴアクセスは、いくつかのタイプのトラフィック（例えば、ＬＩＰＡ、ＳＩＰＴＯ、ＲＩＰＡなど）の非アクティブ化時に非アクティブ化されてよい。
【０１０４】
マルチＲＡＴアクセスは、ハンドオーバの結果として非アクティブ化されてよい。すべてのＷＴＲＵベアラがハンドオーバ後に１つのＲＡＴ上にある場合は、マルチＲＡＴアクセスは非アクティブ化されてよい。この場合は、ＲＡＮノード（例えば、ソースセルおよび／またはサービングセル）は、コアネットワークおよび／またはＷＴＲＵにマルチＲＡＴアクセス動作を非アクティブ化するようにとの表示を送信することができる。
【０１０５】
マルチＲＡＴアクセスは、例えば、無線状態または任意の他のアクセス情報に基づいて、ＷＴＲＵによる決定時に非アクティブ化されてよい。そのような決定時に、ＷＴＲＵは、マルチＲＡＴアクセスを非アクティブ化するために、アクセス層レベルメッセージをＲＡＮに、または非アクセス層レベルメッセージをコアネットワークに送信してよい。
【０１０６】
マルチＲＡＴアクセスは、要求されたサービスのタイプが変わった場合は、非アクティブ化されてよい。例えば、ＷＴＲＵがそのＬＴＥ  ＲＡＴをアクティブにしている間に、ＣＳサービス（例えば、ＳＭＳ、ＳＳ、音声通話）を求める要求は、マルチＲＡＴアクセスのアクティブ化／開始をトリガする。ＣＳサービスの終了時に、ＷＴＲＵは、マルチＲＡＴアクセスを非アクティブ化し、ＰＳサービスのためにＬＴＥ  ＲＡＴ上でのみ動作することができる。
【０１０７】
マルチＲＡＴアクセスは、（例えば、ユーザインターフェース、またはユーザによるＷＴＲＵ設定の変更を介して）ユーザからの要求時に非アクティブ化されてよい。ＷＴＲＵ設定は、ＯＭＡ  ＤＭまたはＯＴＡを介して変更されてよい（すなわち、ＷＴＲＵは、マルチＲＡＴアクセスを非アクティブ化するように通知されてよい）。
【０１０８】
マルチＲＡＴアクセスは、マルチＲＡＴアクセスを非アクティブ化するようにとの明確な表示の受信時に非アクティブ化されてよい。ＷＴＲＵは、この表示をシステム内の任意のネットワークノード、すなわち任意のＲＡＮノード（例えば、ＲＮＣ、ｅノードＢなど）、または任意のＣＮノード（例えば、ＭＭＥ、ＳＧＳＮなど）から受信することができる。
【０１０９】
マルチＲＡＴアクセスは、負荷閾値に基づいて（負荷分散の一部として）非アクティブ化されてよい。例えば、ネットワーク負荷がある閾値より減少した場合は、マルチＲＡＴアクセスは非アクティブ化されてよい。
【０１１０】
マルチＲＡＴアクセスは、マルチＲＡＴアクセスがディセーブルされるまたは一時的にディセーブルされるという表示（またはコマンド）の受信時に非アクティブ化されてよい。ＷＴＲＵがそのような表示（またはコマンド）を受信した場合は、ＷＴＲＵは、そのような非アクティブ化をユーザに表示することができる。ＷＴＲＵはまた、ネットワークがマルチＲＡＴアクセスをサポートしていないことをユーザに示すこともできる。
【０１１１】
マルチＲＡＴアクセスは、あるセルの接近に基づいて非アクティブ化されてよい。例えば、ＷＴＲＵがマルチＲＡＴアクセスをサポートするセルまたはエリアから出た場合は、ＷＴＲＵは、マルチＲＡＴアクセスを非アクティブ化することができる。
【０１１２】
マルチＲＡＴアクセスは、セキュリティモード再構成時に非アクティブ化されてよい。ＷＴＲＵがＣＮ制御ノード（例えば、ＳＧＳＮもしくはＭＭＥ）間で切り替わるときに、またはＷＴＲＵが無線アクセスネットワークノード（例えば、（ｅ）ノードＢ）間で切り替わるときに、ネットワークは、ＷＴＲＵモビリティのために、コマンド整合性保護動作および／またはデータ暗号化動作のためのセキュリティパラメータ（例えば、暗号化アルゴリズム）を変更または再構成することができる。変更は、ＱｏＳ低下または暗号化不整合性の点でマルチＲＡＴ動作に影響を与える。これらの場合には、マルチＲＡＴアクセス動作は、非アクティブ化されてよい。ＣＮ制御ノード（開始もしくはターゲットＳＧＳＮ／ＭＭＥまたは関係ＲＡＮによってトリガされたノード）は、マルチＲＡＴ動作停止を決定し、マルチＲＡＴ動作エンティティ（ＷＴＲＵを含む）にこの特定のＲＡＴにおけるマルチＲＡＴアクセス動作を非アクティブ化するように通知することができる。ＣＮ制御エンティティは、その非アクティブ化目的のために新しいメッセージを利用するか、または現在の３ＧＰＰメッセージに非アクティブ化表示を含めることができる。ＣＮ制御ノードは、非アクティブ化表示と共にセキュリティモード再構成メッセージをＷＴＲＵに送信することができる。ＷＴＲＵは、セキュリティ再構成コマンドを受信した後に、ＷＴＲＵの観点から、非アクティブ化のために、およびマルチＲＡＴアクセス動作を停止するために、制御ノードに通知することができる。
【０１１３】
マルチＲＡＴアクセスモードにあるＷＴＲＵは、１つのＲＡＴ上ではアイドルモードにあり、一方、別のＲＡＴ上では接続モードにあってもよい。各ＲＡＴにおけるアイドル状態と接続状態との間の移行は、相互に独立して行われてよい。あるいは、ＷＴＲＵは、１つのＲＡＴ上ではアイドルモードになく、一方、別のＲＡＴ上では接続モードにあってもよい。あるいは、ＷＴＲＵが所与のＲＡＴ上でアイドルモードになった後は、ＷＴＲＵにおいて、無線アクセスネットワークにおいて、またはコアネットワークにおいてタイマが始動され、ＷＴＲＵ、無線アクセスネットワークまたはコアネットワークは、タイマの満了時に動作のマルチＲＡＴアクセスモードから動作の単一ＲＡＴモードに移行することができる。あるいは、ＷＴＲＵ、無線アクセスネットワークまたはコアネットワークは、ＷＴＲＵ、無線アクセスネットワークまたはコアネットワークに、マルチＲＡＴアクセスモードから単一ＲＡＴアクセスモードにまたは逆に移行するように明確に要求してもよい。
【０１１４】
ＷＴＲＵは、自動的にまたはユーザからの表示時に、マルチＲＡＴアクセスを終了してよい。例えば、ＷＴＲＵは、ＷＴＲＵによる決定時に、例えば、無線状態、または上記で開示された任意の他のマルチＲＡＴアクセス非アクティブ化情報／基準に基づいて、マルチＲＡＴアクセスを終了してよい。そのような決定時に、ＷＴＲＵは、動作のマルチＲＡＴアクセスモードを終了／非アクティブ化するために、アクセス層メッセージをＲＡＮに、または非アクセス層メッセージをコアネットワークに送信することができる。ＷＴＲＵは、ＲＡＴおよび／または候補セルに、どこでマルチＲＡＴアクセスを非アクティブ化するべきかを表示することができる。
【０１１５】
無線アクセスネットワークノードは、マルチＲＡＴアクセスモードにある動作を非アクティブ化することができる。例えば、ＲＡＮノード上の改善された無線状態の結果として、および／またはＲＡＮノード上の負荷の減少の結果として、このＲＡＮノードは、別のＲＡＴ上のベアラを再要求することを決定することができる。手順（ある種の逆ハンドオーバ手順）が２次ＲＡＴセルに対して開始されてよく、それによって、マルチＲＡＴアクセスの非アクティブ化をトリガすることができる。あるいは、ＲＡＮノードは、上記で開示されたように、その無線状態もしくは負荷情報の結果として、またはマルチＲＡＴアクセスの非アクティブ化のための任意の他の基準による実現時に、トラフィックを他のＲＡＴから開始ノードのＲＡＴに再ルーティングするようにとの表示をＣＮに送信し、それによって動作のマルチＲＡＴアクセスモードを非アクティブ化することもできる。あるいは、ＲＡＮノードは、（例えば、無線状態、負荷状態または同種のものに基づいて）、そのベアラのハンドオーバを、ＷＴＲＵにすでにサービスしている別のＲＡＴにおけるノードに対して開始し、それによって動作のマルチＲＡＴアクセスモードを非アクティブ化することもできる。例えば、２次ＲＡＴ上のセルは、２次ＲＡＴセルによってサービスされている所与のＷＴＲＵのベアラのハンドオーバを、ＷＴＲＵの１次ＲＡＴに対して開始し、それによって動作のマルチＲＡＴアクセスを非アクティブ化することもできる。
【０１１６】
コアネットワークノード（例えば、ＭＭＥ、ＳＧＷ、ＰＧＷ、ＳＧＳＮ、ＰＣＲＦまたは同種のもの）は、例えば負荷分散をサポートしているマルチＲＡＴアクセスの非アクティブ化をトリガすることができる。
【０１１７】
以下では、マルチＲＡＴモードにあるＷＴＲＵのハンドオーバのための諸実施形態が開示される。ハンドオーバはＬＴＥサービングセルハンドオーバ（１次セルおよび／または２次セル）、および／またはＵＴＲＡＮサービングセルハンドオーバ（１次セルおよび／または２次セル）、またはそれらの任意の組合せでよい。２つの無線リソース接続（各ＲＡＴ上に１つの無線リソース接続）を有するマルチＲＡＴアクセス動作のコンテキストでは、２つのサービングセルがある。各サービングセルは、１次セルでも２次セルでもよい。ＷＴＲＵにサービスしているセルは、ＷＴＲＵがマルチＲＡＴアクセスで動作していることを知っていてもいなくてもよい。
【０１１８】
ネットワークは、ハンドオーバ（すなわち、ネットワーク制御ハンドオーバ）を開始することができる。各サービングセルは、ハンドオーバ決定を独立して行うことができる。あるいは、セルはハンドオーバを相互に調整または通知することもできる。あるいは、ＷＴＲＵは、ハンドオーバ（すなわち、セル更新手順によるＣＥＬＬ＿ＦＡＣＨモビリティを含むＷＴＲＵ制御ハンドオーバ）を開始することもできる。ＷＴＲＵは、サービングセルまたはコアネットワークに要求を送信することによりハンドオーバを開始することができる。
【０１１９】
マルチＲＡＴアクセス動作では、ハンドオーバは、１つのＲＡＴまたは両方のＲＡＴのどちらで行われてもよい。単一ＲＡＴハンドオーバの場合は、１つのＲＡＴ上のベアラがハンドオーバされる。マルチＲＡＴハンドオーバでは、ハンドオーバは、同時に両方のＲＡＴのためにトリガされてよい。
【０１２０】
優先度ルールがハンドオーバ制御の点から定義されてよい。例えば、ＬＴＥサービングセルにおけるベアラは、ＬＴＥセルにハンドオーバされてよいが、ＵＴＲＡＮセルにはハンドオーバされず、ＵＴＲＡＮセルにおけるベアラは、ＵＴＲＡＮセルにハンドオーバされてよいが、ＬＴＥセルにはハンドオーバされない。あるいは、ＬＴＥセルにおけるベアラは、ＵＴＲＡＮセルにハンドオーバされてもよい。この場合、現在のＵＴＲＡＮサービングセルは、他の候補ＵＴＲＡＮセルより優先されてよい。あるいは、ＵＴＲＡＮセルにおけるベアラは、ＬＴＥセルにハンドオーバされてもよい。この場合、現在のＬＴＥサービングセルは、他の候補ＬＴＥセルより優先されてよい。ＬＴＥ２次セルにおけるベアラは、ＵＴＲＡＮセルにハンドオーバされてよい。ＵＴＲＡＮ２次セルにおけるベアラは、ＬＴＥセルにハンドオーバされてよい。上記ルールの任意の組合せが可能である。
【０１２１】
特定の優先度ルールは、ネットワークまたはＷＴＲＵにおけるオペレータポリシ設定に基づいて適用されてもよく、またはネットワークノード間のシグナリングもしくはネットワークとＷＴＲＵとの間のシグナリングに基づいて適用されてもよい。特定の優先度ルールは、ＳＰＩＤに基づいて適用されてよい。ＳＰＩＤは、ＷＴＲＵ粒度を超えてサービスレベル、ＳＤＦレベル、ベアラレベル、またはＡＰＮレベルまで拡張されてよい。これらのルールは、（ＦＡＣＨモビリティを含む）ＷＴＲＵ制御ハンドオーバ中にはＷＴＲＵによって、ネットワーク制御ハンドオーバ中にはネットワークによって、またはＷＴＲＵおよびネットワークの両方によって、実施または使用されてよい。
【０１２２】
マルチＲＡＴアクセスをイネーブルおよびディセーブルするための基準は、トラフィックをオフロードするかまたはハンドオーバを開始するかを決定し、トラフィックをオフロードするかしないための、またはハンドオーバを開始するかしないための特定の状態を決定するための基準として適用されてよい。本明細書において開示される諸実施形態は、ＩＰオフロード点（例えば、特定のＬＧＷまたはＰＧＷ）、およびこのオフロード点が選択的ＩＰトラフィックまたはローカルＩＰトラフィックのために使用されるかどうかを決定するために使用されてよい。
【０１２３】
部分的ハンドオーバが実行されてもよい。所与のキャリア、ＲＡＴまたはセル（１次セルまたは２次セル）においてハンドオーバされるベアラもあれば、同じキャリア、ＲＡＴまたはセルにおいてハンドオーバされないベアラもある。例えば、ＷＴＲＵは、ＣＳ音声サービスをサポートする第１のＲＡＴ上でサービスを受信しながら、ＷＴＲＵは、第２のＲＡＴ上でＰＳサービスのためのベアラをハンドオーバまたはセットアップすることができる。部分的ハンドオーバ（ならびに非部分的ハンドオーバ）のサポートでは、ハンドオーバに必要な情報を伝送するための複数のコテナが関係ノード間のハンドオーバ要求メッセージにおいて使用されてよい。
【０１２４】
ハンドオーバのために、ソースセルはハンドオーバのための適切なセル（すなわちターゲットセル）を決定することができる。マルチＲＡＴアクセスのコンテキストでは、適切なセルはマルチＲＡＴアクセス動作をサポートするセルである。ターゲットセルはまた、すべての他のサービスアクセシビリティ基準を満たすべきである。
【０１２５】
ソースセルがマルチＲＡＴアクセスを（適所でハンドオーバルールに基づいて）サポートすることができる同じＲＡＴ上でセルを見つけることができない場合は、ネットワークは、そのＲＡＴを非アクティブ化してよい。１つのＲＡＴだけが残っている場合は、ネットワークは、マルチＲＡＴアクセス動作を非アクティブ化し、残っているＲＡＴを介してユーザパスを続けてよく、すべてのトラフィックをそのＲＡＴを介してルーティングするようにとの表示がコアネットワークノード（例えば、ＭＭＥ／ＳＧＷ、ＳＧＳＮ、および／またはＰＧＷ／ＧＧＳＮ）に送信されてよい。例えば、マルチＲＡＴアクセスをサポートする適切なＵＴＲＡＮセルが見つからない場合は、ＵＴＲＡＮベアラは非アクティブ化されてよく、ＵＴＲＡＮにおけるＳＧＳＮは、すべてのデータをＬＴＥコアネットワークを介してルーティングするようにとの表示をＰＧＷに送信することができる。
【０１２６】
ハンドオーバの結果として、および適所でハンドオーバ制御ルールまたはポリシに基づいて、マルチＲＡＴアクセス動作は、すべてのベアラが同じＲＡＴ上で構成されている場合は、もはや有効でない可能性がある。そのような状況は、ＷＴＲＵおよび／またはネットワーク（例えば、無線アクセスネットワークまたはコアネットワーク）によって検出され得る。あるいは、ＷＴＲＵはそのような状況を無線アクセスネットワークまたはコアネットワークに通知してもよい。あるいは、無線アクセスネットワークまたはコアネットワークは、マルチＲＡＴアクセスモードから単一ＲＡＴアクセスモードへのそのような暗黙的な移行をＷＴＲＵに通知してもよい。あるいは、コアネットワークは無線アクセスネットワークに、または無線アクセスネットワークはコアネットワークに、マルチＲＡＴアクセスモードから単一ＲＡＴアクセスモードへの移行を通知してもよい。
【０１２７】
マルチＲＡＴアクセスモードから単一ＲＡＴアクセスモードへの移行の場合は、ＷＴＲＵ、無線アクセスネットワーク、またはコアネットワークは、タイマを開始することができる。タイマの満了の前に動作のマルチＲＡＴアクセスモードのためのトリガが行われない場合は、ＷＴＲＵ、無線アクセスネットワーク、またはコアネットワークは、マルチＲＡＴアクセスモードにある動作に関連するすべてのコンテキストを含むリソースを解放することができる。
【０１２８】
動作のマルチＲＡＴアクセスモードは、ページング最適化のために使用されてよい。例えば、ＷＴＲＵがマルチＲＡＴアクセスモードで動作しており所与のＲＡＴ上でアイドルモードに移る場合、ＷＴＲＵはそのＲＡＴ上でページングをリスンしなくてよい。ＷＴＲＵは、ＷＴＲＵがアクティブ（すなわち、接続モード状態）であるアクティブＲＡＴを介して到達可能であり得る。アイドルモードＲＡＴのためのモバイル終了通話シグナリングは、アクティブＲＡＴを介してＷＴＲＵにアドレスされ得る。
【０１２９】
あるいは、ＷＴＲＵは、アイドルＲＡＴ上でページングをリスンすることもできる。ＷＴＲＵが他のＲＡＴにおける接続モード中にアイドルＲＡＴ上でページングメッセージをリスンする必要があるかどうかは、構成シグナリング（例えば、ＮＡＳシグナリング、システムブロードキャストを含むＲＲＣシグナリング、ＯＴＡ、またはＵＳＩＭ  ＤＭ）を介してネットワークによって制御され得る。
【０１３０】
ＷＴＲＵが両方のＲＡＴ上でアイドルモードにあるときは、ＷＴＲＵは、どちらかのＲＡＴ上でまたは両方のＲＡＴ上でページングメッセージをリスンすることができる。ＷＴＲＵがどちらかのＲＡＴまたは両方のＲＡＴ上でページングメッセージをリスンする必要があるかどうかは、構成シグナリング（例えば、ＮＡＳシグナリング、システムブロードキャストを含むＲＲＣシグナリング、ＯＴＡ、またはＵＳＩＭ  ＤＭ）を介してネットワークによって制御され得る。
【０１３１】
実施形態
【０１３２】
１．ＷＴＲＵのためのマルチＲＡＴアクセスモード動作のための方法。
【０１３３】
２．動作のマルチＲＡＴアクセスモードをイネーブルするステップを含むことを特徴とする実施形態１の方法。
【０１３４】
３．少なくとも２つの異なるＲＡＴにおいて同時にベアラを確立するステップを含むことを特徴とする実施形態２の方法。
【０１３５】
４．マルチＲＡＴアクセスモードは、ＷＴＲＵサブスクリプション、ＷＴＲＵのサービス契約、ＷＴＲＵのローミング状態、選択されたＡＰＮ、ＩＰフロークラス、ＷＴＲＵのための加入者プロファイルアイデンティティ、要求されるサービス品質、またはマルチＲＡＴアクセスモードをサポートするセルの近傍にいることを示す近傍表示のうちの少なくとも１つに基づいてイネーブルされることを特徴とする実施形態２〜３のいずれか１つに記載の方法。
【０１３６】
５．ＷＴＲＵがネットワークへのマルチＲＡＴアクセスのサポートの能力表示を送信するステップをさらに含むことを特徴とする実施形態２〜４のいずれか１つに記載の方法。
【０１３７】
６．マルチＲＡＴアクセスモードは能力表示に基づいてイネーブルされることを特徴とする実施形態５に記載の方法。
【０１３８】
７．近傍表示は、トラッキングエリア更新メッセージ、ルーティングエリア更新メッセージ、アタッチ要求メッセージ、またはＰＤＮ接続要求メッセージに含まれることを特徴とする実施形態４〜６のいずれか１つに記載の方法。
【０１３９】
８．ＬＩＰＡ、ＳＩＰＴＯまたはＭＲＡをサポートするネットワークへのアクセスをさらに含むことを特徴とする実施形態２〜７のいずれか１つに記載の方法。
【０１４０】
９．ＬＩＰＡ、ＳＩＰＴＯまたはＭＲＡをサポートするネットワークへのアクセスは、ネットワークから受信されたメッセージが、マルチＲＡＴアクセスをサポートするセルにトラフィックをオフロードする必要があることを示すという条件でイネーブルされることを特徴とする実施形態８に記載の方法。
【０１４１】
１０．ＬＩＰＡ、ＳＩＰＴＯまたはＭＲＡは加入者プロファイルアイデンティティに基づいてイネーブルされることを特徴とする実施形態８〜９のいずれか１つに記載の方法。
【０１４２】
１１．マルチＲＡＴアクセスモードをサポートするハンドオーバのためのターゲットセルを選択するステップをさらに含むことを特徴とする実施形態２〜１０のいずれか１つに記載の方法。
【０１４３】
１２．ターゲットセルへの少なくとも１つのベアラのハンドオーバを実行するステップを含むことを特徴とする実施形態１１に記載の方法。
【０１４４】
現在のサービングセルのベアラの一部はターゲットセルへハンドオーバされることを特徴とする実施形態１２に記載の方法。
【０１４５】
１４．ターゲットセルは優先度ルールに基づいて決定されることを特徴とする実施形態１２〜１３のいずれか１つに記載の方法。
【０１４６】
１５．優先度ルールは、オペレータポリシ設定に基づいて、またはネットワークノード間もしくはネットワークとＷＴＲＵとの間のシグナリングに基づいて、または加入者プロファイルアイデンティティに基づいて設定されることを特徴とする実施形態１４に記載の方法。
【０１４７】
１６．ＷＴＲＵのためのマルチＲＡＴアクセスモード動作のための装置。
【０１４８】
１７．動作のマルチＲＡＴアクセスモードをイネーブルするように構成されたプロセッサを備えることを特徴とする実施形態１６に記載の装置。
【０１４９】
１８．プロセッサは少なくとも２つの異なるＲＡＴにおいてベアラを確立するように構成されることを特徴とする実施形態１７に記載の装置。
【０１５０】
１９．マルチＲＡＴアクセスモードは、ＷＴＲＵサブスクリプション、サービス契約、ローミング状態、選択されたＡＰＮ、ＩＰフロークラス、加入者プロファイルアイデンティティ、要求されるサービス品質、または近傍表示のうちの少なくとも１つに基づいてイネーブルされることを特徴とする実施形態１７〜１８のいずれか１つに記載の装置。
【０１５１】
２０．プロセッサはネットワークへのマルチＲＡＴアクセスのサポートの能力表示を送信するように構成され、マルチＲＡＴアクセスモードは能力表示に基づいてイネーブルされることを特徴とする実施形態１７〜１９のいずれか１つに記載の装置。
【０１５２】
２１．近傍表示は、トラッキングエリア更新メッセージ、ルーティングエリア更新メッセージ、アタッチ要求メッセージ、またはＰＤＮ接続要求メッセージに含まれることを特徴とする実施形態１９〜２０のいずれか１つに記載の装置。
【０１５３】
２２．プロセッサは、ＬＩＰＡ、ＳＩＰＴＯまたはＭＲＡをサポートするネットワークへのアクセスをイネーブルするように構成されることを特徴とする実施形態１７〜２１のいずれか１つに記載の装置。
【０１５４】
２３．ＬＩＰＡ、ＳＩＰＴＯまたはＭＲＡをサポートするネットワークへのアクセスは、ネットワークから受信されたメッセージが、マルチＲＡＴアクセスをサポートするセルにトラフィックをオフロードする必要があることを示すという条件でイネーブルされることを特徴とする実施形態２２に記載の装置。
【０１５５】
２４．ＬＩＰＡ、ＳＩＰＴＯまたはＭＲＡは加入者プロファイルアイデンティティに基づいてイネーブルされることを特徴とする実施形態２２〜２３のいずれか１つに記載の装置。
【０１５６】
２５．プロセッサは、マルチＲＡＴアクセスモードをサポートするハンドオーバのためのターゲットセルを選択するように構成されることを特徴とする実施形態１７〜２４のいずれか１つに記載の装置。
【０１５７】
２６．プロセッサは少なくとも１つのベアラのターゲットセルへのハンドオーバを実行するように構成されることを特徴とする実施形態２５に記載の装置。
【０１５８】
２７．現在のサービングセルのベアラの一部はターゲットセルにハンドオーバされることを特徴とする実施形態２５〜２６のいずれか１つに記載の装置。
【０１５９】
２８．ターゲットセルは優先度ルールに基づいて決定されることを特徴とする実施形態２５〜２７のいずれか１つに記載の装置。
【０１６０】
２９．優先度ルールは、オペレータポリシ設定に基づいて、またはネットワークノード間のシグナリングもしくはネットワークとＷＴＲＵとの間のシグナリングに基づいて、または加入者プロファイルアイデンティティに基づいて設定されることを特徴とする実施形態２８に記載の装置。
【０１６１】
上記では特徴および要素は特定の組合せで記述されているが、各特徴または要素は、単独で、または他の特徴および要素との任意の組合せで使用され得ることを当業者は理解するであろう。さらに、本明細書に記載の方法は、コンピュータまたはプロセッサによる実行のためにコンピュータ可読媒体に組み込まれたコンピュータプログラム、ソフトウェア、またはファームウェアで実施され得る。コンピュータ可読媒体の例は、電子信号（有線または無線接続を介して伝送される）およびコンピュータ可読記憶媒体を含む。コンピュータ可読記憶媒体の例は、読出し専用メモリ（ＲＯＭ）、ランダムアクセスメモリ（ＲＡＭ）、レジスタ、キャッシュメモリ、半導体メモリデバイス、内蔵ハードディスクおよび取り外し可能なディスクなどの磁気媒体、光磁気媒体、ならびにＣＤ−ＲＯＭディスクおよびデジタル多用途ディスク（ＤＶＤ）などの光媒体を含むがそれらに限定されない。ソフトウェアに関連するプロセッサは、ＷＴＲＵ、ＵＥ、端末、基地局、ＲＮＣ、または任意のホストコンピュータにおける使用のための無線周波数トランシーバを実施するために使用され得る。
【図１Ａ】
2014521267.tif 000003
【図１Ｂ】
2014521267.tif 000004
【図１Ｃ】
2014521267.tif 000005
【図１Ｄ】
2014521267.tif 000006
【図２】
2014521267.tif 000007
【図３Ａ】
2014521267.tif 000008
【図３Ｂ】
2014521267.tif 000009
【図４Ａ】
2014521267.tif 000010
【図４Ｂ】
2014521267.tif 000011
【図５Ａ】
2014521267.tif 000012
【図５Ｂ】
2014521267.tif 000013
【図６Ａ】
2014521267.tif 000014
【図６Ｂ】
2014521267.tif 000015
【図６Ｃ】
2014521267.tif 000016
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）に対するマルチ無線アクセステクノロジー（マルチＲＡＴ）アクセスモード動作のための方法であって、前記方法は、
利用可能なＩＰネットワークインターフェースの間でインターネットプロトコル（ＩＰ）フローをルーティングするための特定のアクセスポイントネーム（ＡＰＮ）を選択することにより、ＷＴＲＵが、動作のマルチＲＡＴアクセスモードを起動するステップと、
前記ＷＴＲＵが、前記ＩＰフローを、前記選択されたＡＰＮを介して送信するステップと
を備え、動作の前記マルチＲＡＴアクセスモードは、ネットワークオペレータポリシ、ＷＴＲＵサブスクリプション、前記ＷＴＲＵのサービス契約、前記ＷＴＲＵのローミング状態、ＷＴＲＵ能力、選択されたＡＰＮの種類、前記ＩＰフロー、ＩＰフロークラス、前記ＷＴＲＵのための加入者プロファイルアイデンティティ、要求されたサービス品質、コアネットワークロードもしくはオーバーロード表示、無線アクセスネットワークロードもしくはオーバーロード表示、前記ＷＴＲＵによるエアインターフェース測定値もしくはネットワークによるエアインターフェース測定値、またはマルチＲＡＴ能力を持つＷＴＲＵをサポートするセルに近いことを表示する近傍表示のうちの少なくとも１つに関する情報を受信するという条件に基づいてイネーブルされることを特徴とする方法。
【請求項２】
前記ＷＴＲＵがネットワークへのマルチＲＡＴアクセスのサポートの能力表示を送るステップをさらに備え、動作の前記マルチＲＡＴアクセスモードは前記能力表示に基づいてイネーブルされることを特徴とする請求項１に記載の方法。
【請求項３】
前記近傍表示は、トラッキングエリア更新メッセージ、ルーティングエリア更新メッセージ、アタッチ要求メッセージ、またはＰＤＮ接続要求メッセージに含まれることを特徴とする請求項１に記載の方法。
【請求項４】
ローカルＩＰアクセス（ＬＩＰＡ）、選択的ＩＰトラフィックオフロード（ＳＩＰＴＯ）、またはマネージド・リモートアクセス（ＭＲＡ）をサポートするネットワークへのアクセスをイネーブルするステップ
をさらに備えたことを特徴とする請求項１に記載の方法。
【請求項５】
前記ネットワークから受信されたメッセージが、マルチＲＡＴアクセスをサポートするセルにトラフィックがオフロードされる必要があることを表示するという条件で、ＬＩＰＡ、ＳＩＰＴＯ、またはＭＲＡをサポートする前記ネットワークへのアクセスは、イネーブルされることを特徴とする請求項４に記載の方法。
【請求項６】
前記ＷＴＲＵは、特定のＡＰＮと特定のＲＡＴとの間のマッピングに基づいて、前記ＡＰＮを選択することを特徴とする請求項１に記載の方法。
【請求項７】
マルチＲＡＴアクセス能力を持つＷＴＲＵをサポートするハンドオーバに対するターゲットセルを選択するステップと、
前記ターゲットセルへの少なくとも１つのベアラのハンドオーバを実行するステップと
をさらに備えたことを特徴とする請求項１に記載の方法。
【請求項８】
現在のサービングセルのベアラの一部は、前記ターゲットセルにハンドオーバされることを特徴とする請求項７に記載の方法。
【請求項９】
前記ターゲットセルは優先度ルールに基づいて決定されることを特徴とする請求項７に記載の方法。
【請求項１０】
前記ネットワークオペレータポリシは、どのＡＰＮが特定のＩＰフローに対して制限されるかを表示することを特徴とする請求項１に記載の方法。
【請求項１１】
無線送受信ユニット（ＷＴＲＵ）に対するマルチ無線アクセステクノロジー（マルチＲＡＴ）アクセスモード動作のための装置であって、前記装置は、
利用可能なＩＰネットワークインターフェースの間でインターネットプロトコル（ＩＰ）フローをルーティングするための特定のアクセスポイントネーム（ＡＰＮ）を選択することにより、動作のマルチＲＡＴアクセスモードを起動し、および前記ＩＰフローを、前記選択されたＡＰＮを介して送信するように構成されたプロセッサを備え、動作の前記マルチＲＡＴアクセスモードは、ネットワークオペレータポリシ、ＷＴＲＵサブスクリプション、サービス契約、ローミング状態、ＷＴＲＵ能力、選択されたＡＰＮの種類、前記ＩＰフロー、ＩＰフロークラス、前記ＷＴＲＵのための加入者プロファイルアイデンティティ、要求されたサービス品質、コアネットワークロードもしくはオーバーロード表示、無線アクセスネットワークロードもしくはオーバーロード表示、前記ＷＴＲＵによるエアインターフェース測定値もしくはネットワークによるエアインターフェース測定値、またはマルチＲＡＴ能力を持つＷＴＲＵをサポートするセルに近いことを表示する近傍表示のうちの少なくとも１つに関する情報を受信するという条件に基づいてイネーブルされることを特徴とする装置。
【請求項１２】
前記プロセッサは、ネットワークへのマルチＲＡＴアクセスのサポートの能力表示を送るように構成され、および動作の前記マルチＲＡＴアクセスモードは、前記能力表示に基づいてイネーブルされることを特徴とする請求項１１に記載の装置。
【請求項１３】
前記近傍表示は、トラッキングエリア更新メッセージ、ルーティングエリア更新メッセージ、アタッチ要求メッセージ、またはＰＤＮ接続要求メッセージに含まれることを特徴とする請求項１１に記載の装置。
【請求項１４】
前記プロセッサは、ローカルＩＰアクセス（ＬＩＰＡ）、選択的ＩＰトラフィックオフロード（ＳＩＰＴＯ）、またはマネージド・リモートアクセス（ＭＲＡ）をサポートするネットワークへのアクセスをイネーブルするように構成されることを特徴とする請求項１１に記載の装置。
【請求項１５】
前記ネットワークから受信されたメッセージが、マルチＲＡＴアクセスをサポートするセルにトラフィックがオフロードされる必要があることを表示するという条件で、ＬＩＰＡ、ＳＩＰＴＯ、またはＭＲＡをサポートする前記ネットワークへのアクセスは、イネーブルされることを特徴とする請求項１４に記載の装置。
【請求項１６】
前記プロセッサは、特定のＡＰＮと特定のＲＡＴとの間のマッピングに基づいて、前記ＡＰＮを選択するように構成されることを特徴とする請求項１１に記載の装置。
【請求項１７】
前記プロセッサは、マルチＲＡＴアクセス能力を持つＷＴＲＵをサポートするハンドオーバに対するターゲットセルを選択し、および前記ターゲットセルへの少なくとも１つのベアラのハンドオーバを実行するように構成されることを特徴とする請求項１１に記載の装置。
【請求項１８】
現在のサービングセルのベアラの一部は、前記ターゲットセルにハンドオーバされることを特徴とする請求項１７に記載の装置。
【請求項１９】
前記ターゲットセルは優先度ルールに基づいて決定されることを特徴とする請求項１７に記載の装置。
【請求項２０】
前記ネットワークオペレータポリシは、どのＡＰＮが特定のＩＰフローに対して制限されるかを表示することを特徴とする請求項１１に記載の装置。
【国際調査報告】
2014521267.tif 000017
2014521267.tif 000018
2014521267.tif 000019